(57)【要約】【課題】被写体の放射線被曝量を抑制しつつ、術者以外の補助者を含む複数の視認者について放射線動画像の視認性を確保できる。【解決手段】患者の血管にカテーテル(ガイドワイヤ)を挿入するＩＶＲでの動画像の撮影・表示において、動画像を表示するディスプレイが術者によって目視されているか否かを検出し(212)、目視されている間(214が肯定)は、目視されていない場合よりも放射線照射周期Ｔが短く、放射線照射線量Ｗが低い曝射条件を設定する(226)と共に、放射線の照射範囲を術者の目視位置に対応する位置を含む範囲に絞り(228)、動画像をディスプレイに拡大表示させる(230)。【選択図】図９
2011194218.tif 000002
【特許請求の範囲】
【請求項１】
放射線を断続的に照射する照射手段と、
前記照射手段による放射線の断続照射と同期したタイミングで放射線を検出する放射線検出手段と、
前記放射線検出手段による放射線の検出結果を動画像として表示手段に表示させる表示制御手段と、
術者によって前記表示手段が目視されているか否かを検出する検出手段と、
術者によって前記表示手段が目視されていることが検出されている場合に、前記照射手段による放射線の断続照射の時間間隔が、術者によって前記表示手段が目視されていることが検出されていない場合よりも短くなるように制御する撮影制御手段と、
を含む放射線画像撮影装置。
【請求項２】
前記撮影制御手段は、術者によって前記表示手段が目視されていることが検出されている場合に、前記照射手段による放射線の照射線量が、術者によって前記表示手段が目視されていることが検出されていない場合よりも低くなるように制御する請求項１記載の放射線画像撮影装置。
【請求項３】
前記撮影制御手段は、前記照射手段による放射線の断続照射の時間間隔が短くする制御として、前記照射手段による放射線の断続照射の時間周期を短くする第１制御、及び、前記照射手段による放射線の断続照射の１周期のうち前記照射手段が放射線を照射している時間を長くする第２制御の少なくとも一方を行う請求項１又は請求項２記載の放射線画像撮影装置。
【請求項４】
前記照射手段と被写体との間に配置され、前記被写体への放射線の照射範囲を変更可能な絞り部を更に備え、
前記撮影制御部は、術者によって前記表示手段が目視されていることが検出されている場合に、前記被写体への放射線の照射範囲が、術者によって前記表示手段が目視されていることが検出されていない場合よりも狭くなるように前記絞り部を制御する請求項１〜請求項３の何れか１項記載の放射線画像撮影装置。
【請求項５】
前記検出手段は、術者によって前記表示手段が目視されている場合に、前記表示手段の表示画面上のうち術者によって目視されている位置を検出し、
前記撮影制御部は、前記検出手段によって検出された目視位置に基づいて、前記被写体への放射線の照射範囲のうち、前記表示手段に表示されている動画像上で目視されている位置に対応する範囲を判断し、術者によって前記表示手段が目視されていることが検出されている場合の前記被写体への放射線の照射範囲が、前記判断した前記目視されている位置に対応する範囲を含む範囲となるように前記絞り部を制御する請求項４記載の放射線画像撮影装置。
【請求項６】
前記表示制御手段は、術者によって前記表示手段が目視されていることが検出されており、前記被写体への放射線の照射範囲が、前記撮影制御手段により、術者によって前記表示手段が目視されていることが検出されていない場合の照射範囲よりも狭くされている間、前記放射線検出手段によって放射線が検出されることで得られた、前記狭くされた照射範囲に応じた小サイズの画像を前記表示手段に動画像として拡大表示させる請求項４又は請求項５記載の放射線画像撮影装置。
【請求項７】
前記表示制御手段は、術者によって前記表示手段が目視されていることが検出されており、前記被写体への放射線の照射範囲が、前記撮影制御手段により、術者によって前記表示手段が目視されていることが検出されていない場合の照射範囲よりも狭くされている間、前記放射線検出手段によって放射線が検出されることで得られた、前記狭くされた照射範囲に応じた小サイズの画像を、術者によって前記表示手段が目視されていることが検出されていないときに前記放射線検出手段によって放射線が検出されることで得られた過去画像のうちの対応する位置に貼り付けた合成画像を生成し、生成した前記合成画像を前記表示手段に表示させることを繰り返すことで、前記合成画像を前記表示手段に動画像として表示させる請求項４又は請求項５記載の放射線画像撮影装置。
【請求項８】
前記撮影制御手段は、術者によって前記表示手段が目視されていることが検出されている場合に、術者によって前記表示手段が目視されている度合いを演算し、演算した前記度合いが所定値以上の場合に、前記照射手段による放射線の断続照射の時間間隔が、前記度合いが前記所定値未満の場合よりも短くなるように制御する請求項１〜請求項７の何れか１項記載の放射線画像撮影装置。
【請求項９】
前記撮影制御手段は、術者によって前記表示手段が目視されていることが検出されている場合に、術者によって前記表示手段が目視されている度合いを演算し、演算した前記度合いが所定値以上の場合に、前記照射手段による放射線の照射線量が、前記度合いが前記所定値未満の場合よりも高くなるように制御する請求項１〜請求項８の何れか１項記載の放射線画像撮影装置。
【請求項１０】
前記放射線検出手段は放射線変換層とスイッチング層を含んで構成されている請求項１〜請求項９の何れか１項記載の放射線画像撮影装置。
【請求項１１】
前記放射線検出手段は、前記放射線画像撮影装置に対して着脱自在な可搬型の放射線画像検出装置である請求項１〜請求項１０の何れか１項記載の放射線画像撮影装置。
【請求項１２】
前記放射線検出手段は、照射された放射線を吸収して発光する発光部と、前記発光部から放出された光を画像として検出する光検出手段と、を備え、前記発光部が前記光検出手段よりも放射線到来方向下流側に配置されている請求項１〜請求項１１の何れか１項記載の放射線画像撮影装置。
【請求項１３】
前記発光部はＣｓＩを含む材料から成り、柱状結晶構造部が形成されている請求項１２記載の放射線画像撮影装置。
【発明の詳細な説明】
【技術分野】
【０００１】
本発明は放射線画像撮影装置に係り、特に、放射線を断続照射すると共に放射線の断続照射と同期したタイミングで放射線を検出し、検出結果を動画像として表示させる放射線画像撮影装置に関する。
【背景技術】
【０００２】
近年、先端に様々な器具を取り付けたカテーテルを患者の体内に挿入し、モニタに表示される放射線動画像により患者の体内の状態をリアルタイムで観察しながら、カテーテルの先端を病変部にまで到達させ、カテーテルを体外で操作して治療を行うＩＶＲ(Interventional Radiology)が急速に普及してきているが、このＩＶＲを始めとして、医療の現場で放射線動画像の撮影・表示を行う機会は増加している。
【０００３】
放射線動画像の撮影に関し、特許文献１には、Ｘ線画像を表示する表示手段を任意に設定された人が注視しているか否かを検出し、注視されていないことが検出された場合、曝射手段から曝射される放射線の線量を制限する技術が開示されている。
【０００４】
また特許文献２には、バルーンカテーテル等による血管拡張手術中は動きを伴わないことを利用し、パルス透視のレートを極度に低下させることで、透視時の低被曝化を実現する技術が開示されている。
【０００５】
また特許文献３には、透視時に少量のＸ線を曝射するようにＸ線管を制御し、これにより得られた透視画像を取り込んでモニタ装置に表示し、透視画像上に関心領域が設定されて撮影が指定されると、多量のＸ線を曝射するようにＸ線管を制御すると共に、設定された関心領域にのみこのＸ線が曝射されるようにＸ線絞り部の開口幅を制御し、関心領域の撮影画像を透視画像に張り合わせて表示させることで、撮影モード時の被検体の被曝量を低減する技術が開示されている。
【先行技術文献】
【特許文献】
【０００６】
【特許文献１】特開２００８−２３４６８４号公報
【特許文献２】特開平７−３２７９６９号公報
【特許文献３】特開平１０−２３４７１４号公報
【発明の概要】
【発明が解決しようとする課題】
【０００７】
ところで、放射線動画像の撮影・表示では、撮影している間、被写体に継続的に放射線が照射されるため、被写体の放射線被曝量が増大し易いという課題がある。特許文献１に記載の技術は、術者が表示手段を注視していない期間に放射線の線量を制限することで、放射線被曝量を低減するものであるが、放射線の線量を制限することに伴い、術者が表示手段を注視していない期間に表示される放射線動画像の画質が低下するので、術者を補助している周囲の補助者にとっては表示される放射線動画像の見易さが逆に低下することになり、患部やその周辺に何らかの異常が発生したとしても見過ごされる可能性が増大してしまう、という問題が生ずる。
【０００８】
また、特許文献２に記載の技術は、バルーンカテーテル等による動きを伴わない血管拡張手術中にパルス透視のレートを下げるものであるが、被写体の放射線被曝量の低減を実現できるのが血管拡張手術を行う場合に限られ、放射線動画像の撮影・表示全般には適用できないという欠点がある。
【０００９】
更に、特許文献３に記載の技術は、放射線の照射領域を関心領域に絞ることで被写体の放射線被曝量を低減するものであるが、関心領域の設定にあたり、術者は、まず関心領域の設定を指定し、次に関心領域の位置及び形状を指定する、という煩雑な操作を行う必要があり、術者に多大な負担を強いるという問題がある。
【００１０】
本発明は上記事実を考慮して成されたもので、被写体の放射線被曝量を抑制しつつ、術者以外の補助者を含む複数の視認者について放射線動画像の視認性を確保できる放射線画像撮影装置を得ることが目的である。
【課題を解決するための手段】
【００１１】
上記目的を達成するために請求項１記載の発明に係る放射線画像撮影装置は、放射線を断続的に照射する照射手段と、前記照射手段による放射線の断続照射と同期したタイミングで放射線を検出する放射線検出手段と、前記放射線検出手段による放射線の検出結果を動画像として表示手段に表示させる表示制御手段と、術者によって前記表示手段が目視されているか否かを検出する検出手段と、術者によって前記表示手段が目視されていることが検出されている場合に、前記照射手段による放射線の断続照射の時間間隔が、術者によって前記表示手段が目視されていることが検出されていない場合よりも短くなるように制御する撮影制御手段と、を含んで構成されている。
【００１２】
請求項１記載の発明では、照射手段によって放射線が断続的に照射され、放射線検出手段により、照射手段による放射線の断続照射と同期したタイミングで放射線が検出され、放射線検出手段による放射線の検出結果が、表示制御手段により動画像として表示手段に表示される。ここで、術者による放射線動画像の視認は、術者自身が行った何らかの操作の結果確認等(例えば、被写体の血管にカテーテルのガイドワイヤを挿通させるＩＶＲにおいて、自身の操作によりガイドワイヤの先端部が目的の血管に挿入されたか等)が主な目的であり、表示手段に表示される動画像は、被写体等の変化に対する表示更新の時間遅れが小さい動画像であることが望ましいのに対し、術者以外の補助者による放射線動画像の視認は、異常発生の有無を確認することが主な目的であり、被写体等の変化に対する動画像の表示更新の時間遅れについての要求レベルは低い。
【００１３】
上記を考慮し、請求項１記載の発明では、術者によって表示手段が目視されているか否かを検出手段によって検出し、撮影制御手段は、術者によって表示手段が目視されていることが検出されている場合に、照射手段による放射線の断続照射の時間間隔が、術者によって前記表示手段が目視されていることが検出されていない場合よりも短くなるように制御する。これにより、術者によって表示手段が目視されていない場合は、照射手段による放射線の断続照射の時間間隔が長くされることで、被写体の放射線被曝量が低減される。また、放射線の断続照射の時間間隔を長くすることに伴い、被写体等の変化に対する動画像の表示更新の時間遅れは大きくなるが、このとき動画像を視認するのは術者以外の補助者であり、当該補助者による動画像の視認に悪影響を及ぼすことはない。
【００１４】
また、術者によって表示手段が目視されている場合は、照射手段による放射線の断続照射の時間間隔が短くされることで、被写体等の変化に対する動画像の表示更新の時間遅れが小さくなり、放射線の断続照射の時間間隔を変化させない場合と比較して、術者による動画像の視認性が向上する。従って、請求項１記載の発明によれば、被写体の放射線被曝量を抑制しつつ、術者以外の補助者を含む複数の視認者について放射線動画像の視認性を確保することができる。
【００１５】
なお、放射線の断続照射の時間間隔を短くしている間は、被写体の放射線被曝量が増大し易くなることを考慮すると、請求項１記載の発明において、撮影制御手段は、例えば請求項２に記載したように、術者によって表示手段が目視されていることが検出されている場合に、照射手段による放射線の照射線量が、術者によって表示手段が目視されていることが検出されていない場合よりも低くなるように制御することが好ましい。これにより、放射線の断続照射の時間間隔を短くしている間の被写体の放射線被曝量の増大を抑制することができる。また、術者によって表示手段が目視されていない場合の放射線の照射線量が、術者によって表示手段が目視されている場合よりも高くなることで、術者によって表示手段が目視されていない期間に表示される動画像の画質(術者以外の補助者によって視認される動画像の画質)を向上させることができる。
【００１６】
また、請求項１又は請求項２記載の発明において、例えば請求項３に記載したように、撮影制御手段は、照射手段による放射線の断続照射の時間間隔が短くする制御として、照射手段による放射線の断続照射の時間周期を短くする第１制御、及び、照射手段による放射線の断続照射の１周期のうち照射手段が放射線を照射している時間を長くする第２制御の少なくとも一方を行うように構成することができる。
【００１７】
また、請求項１〜請求項３の何れか１項記載の発明において、例えば請求項４に記載したように、照射手段と被写体との間に配置され、被写体への放射線の照射範囲を変更可能な絞り部を設け、撮影制御部を、術者によって表示手段が目視されていることが検出されている場合に、被写体への放射線の照射範囲が、術者によって表示手段が目視されていることが検出されていない場合よりも狭くなるように絞り部を制御するよう構成することが好ましい。これにより、放射線の断続照射の時間間隔を短くしている間の被写体の放射線被曝量を更に抑制することができる。
【００１８】
また、請求項４記載の発明において、被写体への放射線の照射範囲を狭くした場合の照射範囲は、例えば元の照射範囲の中心を含む範囲としてもよいが、例えば請求項５に記載したように、検出手段が、術者によって表示手段が目視されている場合に、表示手段の表示画面上のうち術者によって目視されている位置を検出し、撮影制御部が、検出手段によって検出された目視位置に基づいて、被写体への放射線の照射範囲のうち、表示手段に表示されている動画像上で目視されている位置に対応する範囲を判断し、術者によって表示手段が目視されていることが検出されている場合の被写体への放射線の照射範囲が、判断した前記目視されている位置に対応する範囲を含む範囲となるように絞り部を制御するよう構成することが好ましい。
【００１９】
これにより、被写体への放射線の照射範囲が、動画像上で術者に目視されていた位置に対応する範囲を含む範囲に絞られると共に、表示手段への動画像の表示範囲も、動画像上で術者に目視されていた位置に対応する範囲に絞られることになり、被写体の放射線被曝量を抑制するために被写体への放射線の照射範囲を狭くすることに伴って、術者が動画像を目視して自身が行った操作の結果を確認する等の作業が阻害されることを防止することができる。
【００２０】
また、請求項４又は請求項５記載の発明において、表示制御手段は、例えば請求項６に記載したように、術者によって表示手段が目視されていることが検出されており、被写体への放射線の照射範囲が、撮影制御手段により、術者によって表示手段が目視されていることが検出されていない場合の照射範囲よりも狭くされている間、放射線検出手段によって放射線が検出されることで得られた、狭くされた照射範囲に応じた小サイズの画像を表示手段に動画像として拡大表示させるように構成することができる。この場合、表示手段に表示される動画像の視認性が向上させることができる。なお、表示制御手段によって画像が拡大表示されるときには、照射手段による放射線の断続照射の時間間隔も短くされているので、画像の拡大表示に伴う画質の低下も抑制される。
【００２１】
また、請求項４又は請求項５記載の発明において、表示制御手段は、例えば請求項７に記載したように、術者によって表示手段が目視されていることが検出されており、被写体への放射線の照射範囲が、撮影制御手段により、術者によって表示手段が目視されていることが検出されていない場合の照射範囲よりも狭くされている間、放射線検出手段によって放射線が検出されることで得られた、前記狭くされた照射範囲に応じた小サイズの画像を、術者によって表示手段が目視されていることが検出されていないときに放射線検出手段によって放射線が検出されることで得られた過去画像のうちの対応する位置に貼り付けた合成画像を生成し、生成した前記合成画像を表示手段に表示させることを繰り返すことで、前記合成画像を表示手段に動画像として表示させるように構成してもよい。
【００２２】
また、請求項１〜請求項４の何れかに記載の発明において、撮影制御手段は、例えば請求項８に記載したように、術者によって表示手段が目視されていることが検出されている場合に、術者によって表示手段が目視されている度合いを演算し、演算した前記度合いが所定値以上の場合に、照射手段による放射線の断続照射の時間間隔が、前記度合いが所定値未満の場合よりも短くなるように制御するよう構成することが好ましい。
【００２３】
これにより、術者によって表示手段が目視されている度合いが所定値以上の場合、すなわち術者が表示されている動画像を注視している可能性が高い場合は、術者によって表示手段が目視されている度合いが所定値未満の場合、すなわち術者が表示されている動画像を注視している可能性が低い場合よりも、被写体等の変化に対する動画像の表示更新の時間遅れが小さくなり、術者による動画像の視認性が向上する。従って、請求項８記載の発明によれば、被写体の放射線被曝量を抑制しつつ、術者による動画像の視認性を効果的に向上させることができる。
【００２４】
また、請求項１〜請求項８の何れかに記載の発明において、撮影制御手段は、例えば請求項９に記載したように、術者によって表示手段が目視されていることが検出されている場合に、術者によって表示手段が目視されている度合いを演算し、演算した前記度合いが所定値以上の場合に、照射手段による放射線の照射線量が、前記度合いが所定値未満の場合よりも高くなるように制御するよう構成することが好ましい。
【００２５】
これにより、術者によって表示手段が目視されている度合いが所定値以上の場合、すなわち術者が表示されている動画像を注視している可能性が高い場合は、術者によって表示手段が目視されている度合いが所定値未満の場合、すなわち術者が表示されている動画像を注視している可能性が低い場合よりも動画像の画質が向上し、術者による動画像の視認性が向上する。従って、請求項９記載の発明によれば、被写体の放射線被曝量を抑制しつつ、術者による動画像の視認性を効果的に向上させることができる。
【００２６】
また、請求項１〜請求項９の何れかに記載の発明において、放射線検出手段としては、例えば請求項１０に記載したように、放射線変換層とスイッチング層を含んだ構成を適用することができる。なお、スイッチング層を構成する基板は放射線が透過する材料から構成されていてもよい。放射線検出手段が放射線変換層とスイッチング層を含む構成の場合、放射線変換層側から放射線が照射されるように放射線検出手段を配置して撮影を行うことが一般的であるが、上記のようにスイッチング層を構成する基板を放射線が透過する材料から構成すれば、スイッチング層側から放射線が照射されるように放射線検出手段を配置して撮影を行うことも可能となる。
【００２７】
また、請求項１〜請求項１０の何れかに記載の発明において、放射線検出手段としては、例えば請求項１１に記載したように、放射線画像撮影装置に対して着脱自在な可搬型の放射線画像検出装置を適用することができる。
【００２８】
また、請求項１〜請求項１１の何れかに記載の発明において、放射線検出手段は、例えば請求項１２に記載したように、照射された放射線を吸収して発光する発光部と、前記発光部から放出された光を画像として検出する光検出手段と、を備え、発光部が光検出手段よりも放射線到来方向下流側に配置されていることが好ましい。この構成では、発光部及び光検出手段のうちの発光部側から放射線が入射される場合と比較して、発光部のうち光検出手段により近い部分が主発光領域となり、光検出手段による受光量が増大するので、放射線画像撮影装置における放射線の検出感度を向上させることができる。
【００２９】
また、請求項１２記載の発明において、例えば請求項１３に記載したように、発光部はＣｓＩを含む材料から成り、柱状結晶構造部が形成されていることが好ましい。これにより、発光部が放射線を吸収することで発生した光は、発光部に形成された柱状結晶構造部において、柱状結晶の間隙に案内されて光検出手段側へ射出されることで、光検出手段側へ射出される光の拡散が抑制されるので、放射線検出手段の光検出手段によって検出される画像の鮮鋭度の低下を抑制することができる。
【発明の効果】
【００３０】
以上説明したように本発明は、動画像を表示する表示手段が術者によって目視されているか否かを検出し、術者によって表示手段が目視されていることが検出されている場合に、放射線の断続照射の時間間隔が、術者によって表示手段が目視されていることが検出されていない場合よりも短くなるように制御するので、被写体の放射線被曝量を抑制しつつ、術者以外の補助者を含む複数の視認者について放射線動画像の視認性を確保できる、という優れた効果を有する。
【図面の簡単な説明】
【００３１】
【図１】放射線画像撮影システムが設置された手術室の様子を示す斜視図である。
【図２】電子カセッテの内部構成を一部破断して示す斜視図である。
【図３】放射線照射装置の要部構成を示す斜視図である。
【図４】載置台、支持部材及びその周辺の構成を示す断面図である。
【図５】載置台の内部構成を示す断面図である。
【図６】放射線照射装置の周辺の構成を示す断面図である。
【図７】放射線画像撮影システムの構成を示すブロック図である。
【図８】放射線検出器の１画素に相当する部分の等価回路を示す回路図である。
【図９】放射線動画像撮影・表示処理の内容を示すフローチャートである。
【図１０】(Ａ),(Ｂ)は術者が動画像を目視していない場合、(Ｃ)は術者が動画像を目視している場合の曝射条件等の一例を各々示す線図である。
【図１１】術者による目視時における目視度合いＳの変化に対する照射周期Ｔ、線量Ｗの変化の一例を示す線図である。
【図１２】絞り部の開口領域の形状及び面積の変更に伴う放射線の照射範囲の変化の一例を示すイメージ図である。
【図１３】目視位置検出処理の内容を示すフローチャートである。
【図１４】電子カセッテに内蔵された放射線検出器の構成の他の例を模式的に示した断面図である。
【図１５】図１４に示す放射線検出器におけるシンチレータの結晶構成の一例を模式的に示す概略図である。
【図１６】放射線検出器のシンチレータとして使用可能なＣｓＩの特性を概略的に示す線図である。
【図１７】電子カセッテに内蔵された放射線検出器の構成の他の例を模式的に示した断面図である。
【図１８】(Ａ)は術者が動画像を目視していない場合、(Ｂ),(Ｃ)は術者が動画像を目視している場合の曝射条件等の一例を各々示す線図である。
【図１９】(Ａ)は温度変化に対する暗電流の変化、(Ｂ)は蓄積時間の変化に対する暗電流の変化の一例を各々示す線図である。
【発明を実施するための形態】
【００３２】
以下、図面を参照して本発明の実施形態の一例を詳細に説明する。図１には本実施形態に係る放射線画像撮影システム１０が示されている。放射線画像撮影システム１０は、術者１２や放射線技師が放射線画像の撮影を行うためのものであり、患者(被写体)１４が横たわるためのベッド１６と、予め設定された撮影条件に応じた放射線量の放射線Ｘを患者１４へ照射すると共にベッド１６の長手方向に沿って移動可能とされた放射線照射装置１８と、患者１４を透過した放射線Ｘを検出して放射線画像情報を生成・記憶する可搬型撮影装置(以下、「電子カセッテ」という)２０と、ベッド１６の幅方向一端部側に設けられ電子カセッテ２０を支持しかつベッド１６の長手方向に沿って移動可能とされた支持部材２２と、ベッド１６の患者１４が載置される側で電子カセッテ２０を片持ち支持する支持部材２２と、放射線照射装置１８、電子カセッテ２０、第１移動装置５０(後述)及び第２移動装置７８(後述)の動作を制御するコンソール２４と、を含んで構成されている。
【００３３】
支持部材２２に支持される電子カセッテ２０は本発明に係る放射線検出手段(より詳しくは請求項１０,１１に記載の放射線検出手段)の一例であり、図２に示すように、放射線Ｘを透過させる材料から成る略矩形平板状の筐体３０を備えている。電子カセッテ２０は、手術室等で使用される際に血液やその他の雑菌が付着する可能性がある。このため、筐体３０は高い防水性・密閉性を有する構造とされている。これにより、必要に応じて殺菌洗浄することで、同一の電子カセッテ２０を繰り返し使用することが可能となる。
【００３４】
筐体３０の内部には、放射線Ｘが照射される筐体３０の照射面３２側から、放射線Ｘの散乱線を除去するグリッド３４、放射線検出器３６、及び、放射線Ｘのバック散乱線を吸収する鉛板３８が順に配設されている。放射線検出器３６は放射線Ｘが照射される略矩形状の照射面３６Ａを備え、患者１４を透過して照射面３６Ａに照射された放射線Ｘの放射線量を検出し、当該放射線量に応じた放射線画像を表す放射線画像情報を出力する。なお、放射線検出器３６の詳細は後述する。
【００３５】
また、筐体３０内の一端側には、マイクロコンピュータを含む電子回路及び充電可能な二次電池を収容するケース４０が配置されている。放射線検出器３６及び電子回路は、ケース４０に収容された二次電池から供給される電力によって作動する。ここで、ケース４０内部に収容された各種回路が放射線Ｘの照射に伴って損傷することを回避するため、ケース４０の照射面３２側には鉛板等の放射線を遮蔽する遮蔽部材を配設しておくことが望ましい。また、電子カセッテ２０の筐体３０の側面のうちケース４０に対応する位置には、通信ケーブルを接続するための接続端子２０Ａが設けられている。
【００３６】
放射線照射装置１８は本発明に係る照射手段の一例であり、図３に示すように、放射線Ｘを射出する放射線源４２と、放射線源４２の放射線Ｘ射出側に配置され、４枚のスリット板４４Ａ,４４Ｂ,４４Ｃ,４４Ｄを含んで構成された絞り部４４と、を備えている。各スリット板４４Ａ〜４４Ｄは、鉛やタングステン等の放射線Ｘを遮蔽する材料から成り、先端部から後端部に亘って厚さが徐々に厚くされた平面視矩形状の板状に整形されて構成されており、絞り部４４は、スリット板４４Ａとスリット板４４Ｂとの先端部同士が対向し、かつスリット板４４Ｃとスリット板４４Ｄとの先端部同士が対向すると共に、各スリット板４４Ａ〜４４Ｄの先端部により平面視矩形状の開口領域５１が形成されるように各スリット板４４Ａ〜４４Ｄが配置されて構成されている。
【００３７】
スリット板４４Ａ及びスリット板４４Ｂは図３ｘ方向に移動可能とされ、スリット板４４Ｃ及びスリット板４４Ｄは図３ｘ方向と直交する図３ｙ方向に移動可能とされている。なお、各スリット板４４Ａ〜４４Ｄの可動範囲は、対向配置されているスリット板同士の先端部が接触する位置(開口領域５１が全閉となる全閉状態)から、開口領域５１が平面視矩形状を保ちかつ最大面積となる位置(全開状態)迄の範囲とされている。また、スリット板４４Ａは、モータ１６０(図７参照)の駆動力が図示しない伝達手段を介して伝達されることで移動し、スリット板４４Ｂはモータ１６２(図７参照)の駆動力が図示しない伝達手段を介して伝達されることで移動し、スリット板４４Ｃはモータ１６４(図７参照)の駆動力が図示しない伝達手段を介して伝達されることで移動し、スリット板４４Ｄはモータ１６６(図７参照)の駆動力が図示しない伝達手段を介して伝達されることで移動する。
【００３８】
また放射線照射装置１８は、鉛やタングステン等の放射線Ｘを遮蔽する材料から成り、放射線源４２及び絞り部４４を収容する収容箱５３(図１参照)を備えている。図１に示すように、収容箱５３には、放射線源４２から射出され絞り部４４を通過した放射線Ｘを電子カセッテ２０へ向けて照射するための開口部５３Ａが形成されている。
【００３９】
ここで、開口部５３Ａは、絞り部４４の各スリット板４４Ａ〜４４Ｄが全開状態のときに開口領域５１を通過する放射線Ｘの直接線と、各スリット板４４Ａ〜４４Ｄの厚さに応じた透過線量でスリット板４４Ａ〜４４Ｄを透過した放射線Ｘ(以下「透過線」という)との双方が射出できる大きさとされている。また、本実施形態に係る放射線画像撮影システム１０では、絞り部４４の各スリット板４４Ａ〜４４Ｄが全開状態の場合に、電子カセッテ２０における照射面３２の全面に放射線Ｘが照射されるように、電子カセッテ２０及び放射線照射装置１８が予め位置決めされている。
【００４０】
一方、図１に示すベッド１６は、放射線Ｘを透過させる材料から成り患者１４が横たわるための略矩形平板状の載置台１６Ａと、載置台１６Ａの四隅に設けられ載置台１６Ａを支持する脚部１６Ｂと、から構成されている。載置台１６Ａの上面のうち載置台１６Ａの幅方向一端部側には、載置台１６Ａの長手方向に沿って長溝４８が形成されている。図４に示すように、載置台１６Ａの内部のうち長溝４８に対応する位置には、長溝４８を介して外部と連通する収容室５２が形成されており、この収容室５２内には、支持部材２２の一部(後述する基部５４)と、支持部材２２を長溝４８に沿って移動させる第１移動装置５０が収容されている。
【００４１】
支持部材２２は、収容室５２内に収容された基部５４、当該基部５４の上面に取付けられ長溝４８を介して載置台１６Ａ上へ突出しているフレーム５６、及び、基端部がＬ字状に屈曲されたフレーム５８を備えている。フレーム５６の突出部分のうちの先端部付近には、突出方向に沿って互いに異なる位置に複数の孔６０が各々穿設されており、フレーム５８は、複数の孔６０の何れか１つに挿通されたボルト６２がフレーム５８の基端部にねじ込まれることで、フレーム５６に締結固定されている。また、フレーム５８の先端部には電子カセッテ２０の筐体３０がボルトによって締結固定されている。従って、電子カセッテ２０の高さ位置は、ボルト６２を挿通する孔６０を変更することで調整可能とされている。
【００４２】
支持部材２２の基部５４には、載置台１６Ａの幅方向へ突出する一対のフランジ５４Ａが設けられており、収容室５２内の両側壁には一対の長溝５２Ａが形成されている。一対の長溝５２Ａは載置台１６Ａの長手方向に沿って延設されており、一対のフランジ５４Ａが嵌め込まれている。これにより、支持部材２２(及び電子カセッテ２０)は、フランジ５４Ａが長溝５２Ａの内壁面と接触することで、図１,４に示す姿勢を維持したまま、載置台１６Ａの長手方向に沿って摺動移動可能とされている。
【００４３】
また、収容室５２内のうち基部５４の下方には第１移動装置５０が配設されている。第１移動装置５０は、基部５４の下面５４Ｂに固定されたモータ６６と、同じく基部５４の下面５４Ｂに固定されコンソール２４からの指示に従いモータ６６を駆動する駆動装置６８と、モータ６６の駆動力を伝達するギアユニット６４と、収容室５２の底面に配置され載置台１６Ａの長手方向に沿って延設されたラックギア６９と、から構成されている。図５にも示すように、ギアユニット６４は、モータ６６の回転軸に取付けられた駆動ギア６４Ａと、駆動ギア６４Ａ及びラックギア６９と噛合するピニオンギア６４Ｂと、を備えている。これにより、駆動装置６８によってモータ６６が駆動されると、支持部材２２(及び電子カセッテ２０)は、モータ６６の回転軸の回転方向に応じて図１の矢印Ａ方向又は矢印Ｂ方向へ摺動移動される。
【００４４】
また、載置台１６Ａの下方には、直方体状で載置台１６Ａの長手方向に沿って延設された収容体７４と、載置台１６Ａ上の患者１４へ放射線Ｘが照射される向きで支持部材７０に支持された放射線照射装置１８と、が配置されている。収容体７４の上面には、載置台１６Ａの長手方向に沿って長溝７６が形成されている。図６に示すように、収容体７４の内部には長溝７６を介して外部と連通する収容室８０が形成されている。支持部材７０は、収容室８０内に収容された基部７２と、当該基部７２の上面に取付けられ長溝７６を介して載置台１６Ａ側へ突出するフレーム７３を備えており、フレーム７３の先端には放射線照射装置１８が固定されている。なお収容体７４は、放射線照射装置１８からの放射線Ｘの照射範囲のうち載置台１６Ａの幅方向に沿った中心位置が、長手方向に沿って、支持部材２２に支持されている電子カセッテ２０のうち載置台１６Ａの幅方向に沿った中心位置とほぼ一致するように、載置台１６Ａの幅方向に沿った位置が調整されている。
【００４５】
支持部材７０の基部７２には、載置台１６Ａの幅方向へ突出する一対のフランジ７２Ａが設けられており、収容室８０内の両側壁には一対の長溝８０Ａが形成されている。一対の長溝８０Ａは載置台１６Ａの長手方向に沿って延設されており、一対のフランジ７２Ａが嵌め込まれている。これにより、支持部材７０(及び放射線照射装置１８)は、フランジ７２Ａが長溝８０Ａの内壁面と接触することで、図１,６に示す姿勢を維持したまま、載置台１６Ａの長手方向に沿って摺動移動可能とされている。
【００４６】
また、収容室８０内のうち基部７２の下方には第２移動装置７８が配設されている。第１移動装置７８は、基部７２の下面７２Ｂに固定されたモータ８４と、同じく基部７２の下面７２Ｂに固定されコンソール２４からの指示に従いモータ８４を駆動する駆動装置８６と、モータ８４の駆動力を伝達するギアユニット８２と、収容室８０の底面に配置され載置台１６Ａの長手方向に沿って延設されたラックギア８５と、から構成されている。ギアユニット８２は、モータ８４の回転軸に取付けられた駆動ギア８２Ａと、駆動ギア８２Ａ及びラックギア８５と噛合するピニオンギア８２Ｂと、を備えている。これにより、駆動装置８６によってモータ８４が駆動されると、支持部材７０(及び放射線照射装置１８)は、モータ８４の回転軸の回転方向に応じて図１の矢印Ａ方向又は矢印Ｂ方向へ摺動移動される。
【００４７】
次に図７を参照し、放射線画像撮影システム１０の電気系の構成を説明する。放射線照射装置１８にはコンソール２４と通信を行うための接続端子１８Ａが設けられている。またコンソール２４には、放射線照射装置１８と通信を行うための接続端子２４Ａ、電子カセッテ２０と通信を行うための接続端子２４Ｂ、第１移動装置５０と無線通信を行うためのアンテナ２４Ｃ及び第２移動装置７８と無線通信を行うためのアンテナ２４Ｄが設けられている。
【００４８】
放射線照射装置１８は、一端が接続端子１８Ａに接続された通信ケーブル９０の他端が接続端子２４Ａに接続されていることで、コンソール２４と接続されている。電子カセッテ２０は、放射線画像の撮影時に、接続端子２０Ａに通信ケーブル９２の一端が接続され、当該通信ケーブル９２の他端が接続端子２４Ｂに接続されることでコンソール２４と接続される。なお、本実施形態では、電子カセッテ２０とコンソール２４との間のデータ転送の高速化を図るために、通信ケーブル９２として光通信ケーブルを用いており、電子カセッテ２０とコンソール２４との間で光通信によるデータ転送が行われる。
【００４９】
電子カセッテ２０に内蔵された放射線検出器３６は、ＴＦＴ(Thin Film Transistor)アクティブマトリクス基板９４上に、放射線Ｘを吸収して電荷に変換する光電変換層が積層されて構成されている。光電変換層は例えばセレンを主成分(例えば含有率５０％以上)とする非晶質のａ−Ｓｅ(アモルファスセレン)から成り、放射線Ｘが照射されると、照射された放射線量に応じた電荷量の電荷(電子−正孔の対)を内部で発生することで、照射された放射線Ｘを電荷へ変換する。なお、放射線検出器３６は、アモルファスセレンのような放射線Ｘを直接的に電荷に変換する放射線−電荷変換材料の代わりに、蛍光体材料と光電変換素子（フォトダイオード）を用いて間接的に電荷に変換する構成であってもよい。蛍光体材料としては、ガドリニウム硫酸化物(ＧＯＳ)やヨウ化セシウム(ＣｓＩ)が知られている。この場合、蛍光体材料によって放射線−光変換を行い、光電変換素子のフォトダイオードによって光−電荷変換が行われる。
【００５０】
また、ＴＦＴアクティブマトリクス基板９４上には、光電変換層で発生された電荷を蓄積する蓄積容量９６と、蓄積容量９６に蓄積された電荷を読み出すためのＴＦＴ９８とを備えた画素部１００(図７では個々の画素部１００に対応する光電変換層を光電変換部１０２として模式的に示している)がマトリクス状に多数個配置されており、電子カセッテ２０への放射線Ｘの照射に伴って光電変換層で発生された電荷は、個々の画素部１００の蓄積容量９６に蓄積される。これにより、電子カセッテ２０に照射された放射線Ｘに担持されていた放射線画像情報は電荷情報へ変換されて放射線検出器３６に保持される。
【００５１】
また、ＴＦＴアクティブマトリクス基板９４には、一定方向(行方向)に延設され、個々の画素部１００のＴＦＴ９８をオンオフさせるための複数本のゲート配線１０４と、ゲート配線１０４と直交する方向(列方向)に延設され、オンされたＴＦＴ９８を介して蓄積容量９６から蓄積電荷を読み出すための複数本のデータ配線１０６が設けられている。個々のゲート配線１０４はゲート線ドライバ１０８に接続されており、個々のデータ配線１０６は信号処理部１１０に接続されている。個々の画素部１００の蓄積容量９６に電荷が蓄積されると、個々の画素部１００のＴＦＴ９８は、ゲート線ドライバ１０８からゲート配線１０４を介して供給される信号により行単位で順にオンされ、ＴＦＴ９８がオンされた画素部１００の蓄積容量９６に蓄積されている電荷は、電荷信号としてデータ配線１０６を伝送されて信号処理部１１０に入力される。従って、個々の画素部１００の蓄積容量９６に蓄積されている電荷は行単位で順に読み出される。
【００５２】
図８に示すように、ＴＦＴ９８のソースはデータ配線１０６に接続され、データ配線１０６は信号処理部１１０に接続されている。また、ＴＦＴ９８のドレインは蓄積容量９６及び光電変換部１０２に接続され、ＴＦＴ９８のゲートはゲート配線１０４に接続されている。信号処理部１１０は、個々のデータ配線１０６毎にサンプルホールド回路１１２を備えている。個々のデータ配線１０６を伝送された電荷信号はサンプルホールド回路１１２に保持される。サンプルホールド回路１１２はオペアンプ１１２Ａとコンデンサ１１２Ｂを含んで構成され、電荷信号をアナログ電圧に変換する。また、サンプルホールド回路１１２にはコンデンサ１１２Ｂの両電極をショートさせることで、コンデンサ１１２Ｂに蓄積された電荷を放電させるリセット回路として作用するスイッチ１１２Ｃが設けられている。
【００５３】
サンプルホールド回路１１２の出力側にはマルチプレクサ１１４、Ａ／Ｄ(アナログ／デジタル)変換器１１６が順に接続されており、個々のサンプルホールド回路に保持された電荷信号はアナログ電圧に変換されてマルチプレクサ１１４に順に(シリアルに)入力され、Ａ／Ｄ変換器１１６によってデジタルの放射線画像情報へ変換される。
【００５４】
図７に示すように、信号処理部１１０にはラインメモリ１１８が接続されており、信号処理部１１０のＡ／Ｄ変換器１１６から出力された放射線画像情報はラインメモリ１１８に順に記憶される。ラインメモリ１１８は放射線画像を表す放射線画像情報を所定ライン分記憶可能な記憶容量を有しており、１ラインずつ電荷の読み出しが行われる毎に、読み出された１ライン分の放射線画像情報がラインメモリ１１８に順次記憶される。
【００５５】
ラインメモリ１１８は電子カセッテ２０全体の動作を制御するカセッテ制御部１２０と接続されている。カセッテ制御部１２０はマイクロコンピュータから成り、光通信制御部１２２が接続されている。光通信制御部１２２は接続端子２０Ａに接続されており、接続端子２０Ａを介して接続された外部機器(例えばコンソール２４)との間での各種情報の伝送を制御する。従って、カセッテ制御部１２０は、光通信制御部１２２を介して外部機器との間で各種情報の送受信が可能とされている。
【００５６】
また、電子カセッテ２０はカセッテ制御部１２０及び電源部１２６を備えており、上述した各種回路や各素子（ゲート線ドライバ１０８、信号処理部１１０、ラインメモリ１１８、光通信制御部１２２やカセッテ制御部１２０として機能するマイクロコンピュータ）は、電源部１２６から供給された電力によって作動する。電源部１２６は、電子カセッテ２０の可搬性を損なわないように、バッテリ(充電可能な二次電池)を内蔵しており、充電されたバッテリから各種回路や素子へ電力を供給する。
【００５７】
一方、コンソール２４は、例えばサーバ・コンピュータ等から成り、図１にも示すように、操作メニューや撮影された放射線画像等を表示するためのディスプレイ１３６と、複数のキーを含んで構成され各種の情報や操作指示が入力される操作パネル１４０と、ディスプレイ１３６の上方に配置されディスプレイ１３６の表示面前方の空間を撮像するビデオカメラ１８０と、を備えている。
【００５８】
またコンソール２４には、装置全体の動作を司るＣＰＵ１２８、制御プログラム等が予め記憶されたＲＯＭ１３０、各種データを一時的に記憶するＲＡＭ１３２、各種データを記憶すると共に後述する放射線動画像撮影・表示処理を行うための放射線動画像撮影・表示プログラムを含む各種のアプリケーション・プログラムがイントールされたＨＤＤ(Hard Disk Drive)１３４、ディスプレイ１３６への各種情報の表示を制御するディスプレイドライバ１３８、操作パネル１４０に対する操作状態を検出する操作入力検出部１４２、接続端子２４Ａに接続され接続端子２４Ａ及び通信ケーブル９０を介して放射線照射装置１８との間で曝射条件や放射線照射装置１８の状態情報等の各種情報の送受信を行う通信インタフェース(Ｉ／Ｆ)部１４４、接続端子２４Ｂに接続され接続端子２４Ｂ及び通信ケーブル９２を介して電子カセッテ２０との間で画像情報等の各種情報の送受信を行う光通信制御部１４６、アンテナ２４Ｃに接続され第１移動装置５０との間で無線通信を行う無線通信制御部１４８、及び、アンテナ２４Ｄに接続され第２移動装置７８との間で無線通信を行う無線通信制御部１５０が設けられており、これらはシステムバスを介して相互に接続されている。なお、システムバスにはビデオカメラ１８０も接続されている。
【００５９】
また放射線照射装置１８は、放射線照射装置１８全体の動作を制御する照射装置制御部１５６を備えている。照射装置制御部１５６はマイクロコンピュータから成り、通信Ｉ／Ｆ部１５４が接続されている。通信Ｉ／Ｆ部１５４は接続端子１８Ａに接続されており、接続端子１８Ａ及び通信ケーブル９０を介して接続されたコンソール２４との間での各種情報の伝送を制御する。従って、照射装置制御部１５６は、通信Ｉ／Ｆ部１５４を介してコンソール２４との間での各種情報の送受信が可能とされている。また、照射装置制御部１５６には放射線源４２が接続されており、照射装置制御部１５６は、通信Ｉ／Ｆ部１５４を介してコンソール２４から受信した曝射条件に基づいて放射線源４２を制御する。
【００６０】
また、放射線照射装置１８は、スリット板４４Ａを移動させるための駆動力を発生するモータ１６０、スリット板４４Ｂを移動させるための駆動力を発生するモータ１６２、スリット板４４Ｃを移動させるための駆動力を発生するモータ１６４、及び、スリット板４４Ｄを移動させるための駆動力を発生するモータ１６６を各々備えており、モータ１６０の駆動制御を行うモータドライバ１６８、モータ１６２の駆動制御を行うモータドライバ１７０、モータ１６４の駆動制御を行うモータドライバ１７２、及び、モータ１６６の駆動制御を行うモータドライバ１７４も各々備えている。
【００６１】
モータ１６０はモータドライバ１６８を介して照射装置制御部１５６に接続され、モータ１６２はモータドライバ１７０を介して照射装置制御部１５６に接続され、モータ１６４はモータドライバ１７２を介して照射装置制御部１５６に接続され、モータ１６６はモータドライバ１７４を介して照射装置制御部１５６に接続されている。従って、モータ１６０,１６２,１６４,１６６の駆動は、コンソール２４からの指示に応じて、照射装置制御部１５６によって制御される。
【００６２】
また、第１移動装置５０は、モータ６６及び駆動装置６８の他に、コンソール２４と無線通信を行うためのアンテナ５０Ａを備えている。駆動装置６８は、第１移動装置５０全体の動作を制御するコントローラ６８Ａと、モータ６６の駆動を制御するモータドライバ６８Ｂと、アンテナ５０Ａに接続されアンテナ５０Ａを介してコンソール２４との間で無線通信を行う無線通信制御部６８Ｃと、コントローラ６８Ａ、モータドライバ６８Ｂ、無線通信制御部６８Ｃ及びモータ６６に電力を供給する電源部６８Ｄと、を備えている。
【００６３】
コントローラ６８Ａはマイクロコンピュータから成り、モータドライバ６８Ｂ及び無線通信制御部６８Ｃが接続されている。コントローラ６８Ａは、コンソール２４からの指示に従い、モータドライバ６８Ｂを介してモータ６６の駆動を制御すると共に、モータ６６の駆動状態を把握し、当該駆動状態を示す情報を無線通信制御部６８Ｃを介してコンソール２４に送信する。
【００６４】
また、第２移動装置７８は、モータ８４及び駆動装置８６の他に、コンソール２４と無線通信を行うためのアンテナ７８Ａを備えている。駆動装置８６は、第２移動装置７８全体の動作を制御するコントローラ８６Ａと、モータ８４の駆動を制御するモータドライバ８６Ｂと、アンテナ７８Ａに接続されアンテナ７８Ａを介してコンソール２４との間で無線通信を行う無線通信制御部８６Ｃと、コントローラ８６Ａ、モータドライバ８６Ｂ、無線通信制御部８６Ｃ及びモータ８４に電力を供給する電源部８６Ｄと、を備えている。
【００６５】
コントローラ８６Ａはマイクロコンピュータから成り、モータドライバ８６Ｂ及び無線通信制御部８６Ｃが接続されている。コントローラ８６Ａは、コンソール２４からの指示に従い、モータドライバ８６Ｂを介してモータ８４の駆動を制御すると共に、モータ８４の駆動状態を把握し、当該駆動状態を示す情報を無線通信制御部８６Ｃを介してコンソール２４に送信する。
【００６６】
次に本実施形態の作用として、本実施形態に係る放射線画像撮影システム１０を利用しながら、ベッド１６に横たわっている患者(被写体)１４の血管にカテーテルを挿入するＩＶＲを実施する場合に、術者１２からの指示を契機としてコンソール２４で行われる放射線動画像撮影・表示処理について、図９を参照して説明する。なお、この放射線動画像撮影・表示処理は、ＨＤＤ１３４にインストールされている放射線動画像撮影・表示プログラムがＣＰＵ１２８によって実行されることで実現される。また、放射線動画像撮影・表示処理の実行が開始される際には、患者(被写体)１４の体のうちカテーテル(詳しくはカテーテルを先導するガイドワイヤ)の挿入口やその周辺が撮影範囲内に入るように、患者(被写体)１４の体に対する放射線照射装置１８及び電子カセッテ２０の相対位置が術者１２によって予め調整される。
【００６７】
放射線動画像撮影・表示処理では、まずステップ２００において、ＩＶＲ実施中に放射線画像撮影システム１０が患者(被写体)１４の動画像を撮影するための、放射線照射装置１８による放射線の曝射条件として、動画像非目視時の曝射条件(術者１２が動画像を目視していない状態での曝射条件)として予め定められた条件を設定する。患者(被写体)１４の動画像を撮影する場合、放射線照射装置１８は、図１０に示すように患者(被写体)１４に対して断続的に放射線を照射する。このため、動画像撮影における曝射条件には放射線照射周期Ｔ、放射線照射線量Ｗ及び放射線照射時間ｔの各項目が含まれており、ステップ２００では、上記各項目について動画像非目視時用として予め定められた値を各々設定する(照射周期Ｔ←Ｔ1、照射線量Ｗ←Ｗ1、照射時間ｔ←ｔ1：図１０(Ａ)も参照)。
【００６８】
なお、本実施形態において、動画像非目視時の曝射条件は、患者(被写体)１４やガイドワイヤ等の被写体の位置等の変化に対する動画像の表示更新の時間遅れの小ささよりも、撮影される動画像の画質が優先され、かつ、患者(被写体)１４の放射線被曝量の低減が優先されるように各項目の値が定められており、具体的には、後述する動画像目視時の曝射条件(術者１２が動画像を目視している状態での曝射条件)と比較して、静止画像相当の画質が得られるように照射線量Ｗが高くされている一方、患者(被写体)１４の放射線被曝量が低減されるように照射周期Ｔが大幅に長くされている。
【００６９】
また、動画像非目視時の曝射条件は、図１０(Ａ)に示した曝射条件に限られるものではなく、動画像の表示更新の時間遅れの小ささよりも動画像の画質と放射線被曝量の低減を優先した曝射条件として、例えば図１０(Ｂ)に示すように、図１０(Ａ)の曝射条件に対し、照射線量Ｗをより高く(Ｗ←Ｗ2(但し、Ｗ2＞Ｗ1))する一方で、照射時間ｔをより短く(ｔ←ｔ2(但し、ｔ2＜ｔ1))した曝射条件(照射周期Ｔについては図１０(Ａ)の曝射条件と同一)を適用してもよい。
【００７０】
ステップ２０１では、ディスプレイ１３６への放射線動画像の表示モードとして通常モード(電子カセッテ２０から取得したデータが表す放射線画像を、ディスプレイ１３６の全面に表示させるモード)を設定する。また、ステップ２０２では高レートフラグに０を設定し、次のステップ２０４では放射線の曝射条件として放射線照射周期Ｔ、放射線照射線量Ｗ及び放射線照射時間ｔの現在の設定値(この場合はステップ２００で設定した値)を放射線照射装置１８へ通知し、通知した曝射条件での放射線射出(照射)を指示する。これにより、放射線照射装置１８では、放射線源４２による放射線の曝射が、コンソール２４から通知された曝射条件に従い照射装置制御部１５６によって制御され、放射線源４２からは、例として図１０(Ａ)に示すように、照射周期Ｔ1で、照射線量Ｗ1の放射線が照射時間ｔ1だけ射出され、放射線源４２から射出され絞り部４４を透過した放射線が患者(被写体)１４に照射される。
【００７１】
次のステップ２０６では放射線照射１周期内の放射線の照射が終了したか否か判定し、判定が肯定される迄ステップ２０６を繰り返す。ステップ２０６の判定が肯定されるとステップ２０８へ移行し、電子カセッテ２０に対してＴＦＴアクティブマトリクス基板９４上の個々の画素部１００の蓄積容量９６に蓄積された電荷の読み出しを指示し、この電荷読み出しによって得られた放射線画像のデータ(放射線動画像の１フレームに相当する画像のデータ)を電子カセッテ２０から受信することで取得し、取得したデータをＨＤＤ１３４に記憶させると共に、当該データが表す放射線動画像の１フレームに相当する画像をディスプレイ１３６に表示させる。なお、このステップ２０８は表示制御手段に相当する処理の一例である。
【００７２】
ステップ２１０では、ステップ２０８で電子カセッテ２０から取得したデータが表す放射線画像(放射線動画像の１フレームに相当する画像)に基づき、当該画像上におけるカテーテルのガイドワイヤの先端部の位置を検出する。カテーテルのガイドワイヤは放射線の吸収率が人体の各部と大きく相違しているので、放射線画像上において、カテーテルのガイドワイヤに相当する画像部は、他の画像部と明確に濃度が相違している。従って、放射線画像上におけるカテーテルのガイドワイヤの先端部の位置は、例えばカテーテルのガイドワイヤに相当する画像部とその他の画像部を弁別可能な閾値により放射線画像を二値化し、二値化後の放射線画像上でカテーテルのガイドワイヤに相当する画像部を細線化し、細線化によって得られた曲線の端部の位置をガイドワイヤの先端部の位置と認識する等の画像処理を行うことで検出することができる。
【００７３】
次のステップ２１２では目視位置検出処理を行う。この目視位置検出処理は、ディスプレイ１３６の表示面前方の空間(術者１２が位置している空間)がビデオカメラ１８０によって撮像されることで得られた画像に基づいて、術者１２がディスプレイ１３６の表示面を目視しているか否かを検出すると共に、術者１２がディスプレイ１３６の表示面を目視している場合には、術者１２による表示面上の目視位置を検出する処理であり、詳細は後述する。なお、ステップ２１２は本発明に係る検出手段の一例である。次のステップ２１４では、ステップ２１２の目視位置検出処理で「術者１２がディスプレイ１３６を目視している」との判定結果が得られたか否か判定する。判定が否定された場合はステップ２１６へ移行し、高レートフラグが１か否か判定する。
【００７４】
この判定が否定された場合はステップ２３４へ移行し、患者(被写体)１４の体のうち放射線画像撮影システム１０が撮影する範囲の移動が必要か否か判定する。この判定は、例えば先のステップ２１０で検出したカテーテルのガイドワイヤの先端部の位置が、放射線画像上の所定範囲(例えば放射線画像の中心から所定距離以内の範囲、或いは放射線画像のうち外縁から所定距離以内の範囲を除外して残った範囲)から逸脱しているか否かを判断することで行うことができる。
【００７５】
この判定が否定された場合はステップ２３８へ移行するが、ステップ２３４の判定が肯定された場合はステップ２３６へ移行し、ステップ２１０で位置を検出したカテーテルのガイドワイヤの先端部を、放射線画像上の所定範囲内に位置させるための放射線照射装置１８及び電子カセッテ２０の移動方向及び移動量を演算し、演算した移動方向及び移動量を第１移動装置５０及び第２移動装置７８へ通知することで、放射線照射装置１８及び電子カセッテ２０を演算した移動方向へ演算した移動量だけ移動させる。これにより、ＩＶＲの進行に伴いカテーテルのガイドワイヤの先端部の位置が患者(被写体)１４の血管内を移動していくのに追随して、患者(被写体)１４の体のうち放射線画像撮影システム１０が撮影する範囲が移動していくことになる。
【００７６】
次のステップ２３８では、ＩＶＲの終了に伴い放射線画像撮影システム１０による動画像の撮影終了が術者１２から指示されたか否か判定する。この判定が否定された場合はステップ２０４に戻り、ステップ２０４〜ステップ２１６、ステップ２３４〜ステップ２３８を繰り返す。これにより、動画像非目視時の曝射条件での放射線照射装置１８による患者(被写体)１４への放射線の照射、電子カセッテ２０による放射線の検出、及び、電子カセッテ２０からの放射線画像データの取得が繰り返され、動画像非目視時の曝射条件で撮影された放射線動画像がディスプレイ１３６に表示される。
【００７７】
このように、術者１２がディスプレイ１３６(に表示された放射線動画像)を目視していない間は、動画像非目視時の曝射条件(照射周期Ｔが長くかつ照射線量Ｗが高い曝射条件)に従って患者(被写体)１４へ放射線が照射され、放射線動画像の撮影・表示が行われるので、患者(被写体)１４の放射線被曝量は低く抑制される。また、動画像非目視時の曝射条件は、放射線動画像の表示更新の時間遅れの小ささよりも放射線動画像の画質と放射線被曝量の低減を優先した曝射条件であるので、術者１２がディスプレイ１３６(に表示された放射線動画像)を目視していない期間に、術者１２を補助する補助者(図１ではこの補助者の図示を省略している)がディスプレイ１３６(に表示された放射線動画像)を目視した場合、前記期間に表示されている放射線動画像が、被写体の位置等の変化に対する表示更新の時間遅れは大きいものの、高画質の動画像であることから、患部やその周辺に何らかの異常が発生した場合に、当該異常が見過ごされてしまうことが防止され、前記異常が補助者によって確実に認識されることになる。
【００７８】
また、ディスプレイ１３６(に表示された放射線動画像)が術者１２によって目視された場合には、ステップ２１２の目視位置検出処理で「術者１２がディスプレイ１３６を目視している」との判定結果が得られることで、ステップ２１４の判定が肯定されてステップ２２４へ移行し、ステップ２２４以降で放射線照射装置１８による放射線の曝射条件を動画像目視時の曝射条件に切り替える処理が行われる。
【００７９】
すなわち、まずステップ２２４では、術者１２によってディスプレイ１３６(に表示された放射線動画像)が目視されている度合い(目視度合いＳ)を演算する。この目視度合いＳとしては、例えば放射線照射の各周期でのステップ２１２の目視位置検出処理の判定結果を記憶しておき、過去Ｎ周期(Ｎ≧２)の放射線照射において、目視位置検出処理の判定結果が「術者１２がディスプレイ１３６を目視している」となった頻度を適用し、当該頻度を目視度合いＳとして演算することができる。なお、ステップ２２４は請求項２に記載の演算手段の一例である。
【００８０】
次のステップ２２６では、放射線照射装置１８による放射線の曝射条件として、動画像目視時の曝射条件(術者１２が動画像を目視している状態での曝射条件)を設定する。本実施形態において、動画像目視時の曝射条件は、撮影される動画像の画質よりも、患者(被写体)１４やガイドワイヤ等の被写体の位置等の変化に対する動画像の表示更新の時間遅れの小ささが優先され、かつ、患者(被写体)１４の放射線被曝量の低減が優先されており、具体的には、図１０(Ｃ)に示すように、動画像非目視時の曝射条件と比較して、被写体の位置等の変化に対する動画像の表示更新の時間遅れが小さくなるように、照射周期Ｔが大幅に短くされている一方、患者(被写体)１４の放射線被曝量が低減されるように照射線量Ｗが低くされている。
【００８１】
また、本実施形態に係る動画像目視時の曝射条件は、より詳しくは、例として図１１に示すように、ステップ２２４で演算した目視度合いＳが高くなるに従って、照射周期Ｔがより短くなり、照射線量Ｗがより高くなるように定められており(なお図１１において、目視度合いＳ＝０のときの照射周期Ｔ、線量Ｗは、動画像非目視時の照射周期Ｔ、線量Ｗを表す)、図示は省略するが、照射時間ｔについては照射周期Ｔに応じて変化するように定められている。このためステップ２２６では、例として図１０(Ｃ)にも示すように、照射周期Ｔ及び照射線量Ｗとして目視度合いＳに応じた値を設定し(照射周期Ｔ←Ｔ(Ｓ)、照射線量Ｗ←Ｗ(Ｓ))、照射時間ｔとして照射周期Ｔに応じた値を設定する(照射時間ｔ←ｔ(Ｔ))。なお、上記のステップ２２４,２２６は請求項２,８,９に記載の撮影制御手段に対応している。
【００８２】
次のステップ２２８では、ステップ２１２の目視位置検出処理で検出された、術者１２によるディスプレイ１３６の表示面上の目視位置に基づいて、放射線の照射範囲のうち前記目視位置に対応する位置の座標を演算し、演算した座標位置が絞り部４４の開口領域５１の中心となり、かつ開口領域５１の形状及び面積が予め定められた形状及び面積となるように、絞り部４４の各スリット板４４Ａ〜４４Ｄの位置を移動させる。これにより、患者(被写体)１４上の当初の放射線の照射範囲が、例として図１２(Ａ)に示すような範囲であったとすると、上記のスリット板４４Ａ〜４４Ｄの移動に伴い、患者(被写体)１４上の放射線の照射範囲が、例として図１２(Ｂ)に示すように、術者１２によるディスプレイ１３６の表示面上の目視位置に対応する位置を含む範囲に絞られることになり、患者(被写体)１４の放射線被曝量が抑制される。
【００８３】
次のステップ２３０では、ステップ２２８における変更後の放射線の照射範囲に対応する小サイズの放射線画像がディスプレイ１３６の表示面の全面に拡大表示されるように、ディスプレイ１３６への放射線動画像の表示モードを通常モードから拡大表示モードへ切り替える。そしてステップ２３２では高レートフラグに１を設定し、前述のステップ２３４へ移行する。なお、上記のステップ２２８,２３０は請求項４〜請求項６に記載の撮影制御手段による処理の一例である。
【００８４】
このように、ディスプレイ１３６(に表示された放射線動画像)が術者１２によって目視されている間は、動画像非目視時よりも照射周期Ｔが短く照射線量Ｗも低くされた動画像目視時の曝射条件で動画像撮影が行われることで、被写体の位置等の変化に対する表示更新の時間遅れが小さくされた動画像がディスプレイ１３６に表示されるので、動画像のうち術者１２による目視位置を含む範囲がディスプレイ１３６に拡大表示されることと相俟って、術者１２による放射線動画像の視認性が向上し、例えば術者１２自身が行った操作の結果を確認する等の作業を術者１２が円滑に行うことができる。また、動画像目視時は動画像非目視時よりも照射線量Ｗが低く、かつ術者１２によるディスプレイ１３６の表示面上の目視位置に対応する位置を含む範囲にのみ放射線が照射されることで、動画像非目視時よりも照射周期Ｔを短くすることに伴う患者(被写体)１４の放射線被曝量の増大も抑制することができる。
【００８５】
また、ディスプレイ１３６(に表示された放射線動画像)を目視していた術者１２が、視線をディスプレイ１３６以外に移した場合には、ステップ２１２の目視位置検出処理の判定結果が「術者１２がディスプレイ１３６を目視していない」となることでステップ２１４の判定が否定されるが、この場合は高レートフラグが１となっていることで、ステップ２１０の判定が肯定されてステップ２１８へ移行し、先に説明したステップ２００と同様に、放射線の曝射条件として、動画像非目視時の曝射条件を設定する(照射周期Ｔ←Ｔ1、照射線量Ｗ←Ｗ1、照射時間ｔ←ｔ1)。また、ステップ２２０では絞り部４４の開口領域５１が全開状態に戻るように、絞り部４４の各スリット板４４Ａ〜４４Ｄの位置を移動させる。そして、ステップ２２１ではディスプレイ１３６への放射線動画像の表示モードを拡大表示モードから通常モードへ切り替え、ステップ２２０では高レートフラグを０に戻し、ステップ２３４へ移行する。
【００８６】
このように、ディスプレイ１３６(に表示された放射線動画像)を術者１２が目視しているか否かに応じて、放射線の曝射条件が動画像目視時の曝射条件又は動画像非目視時の曝射条件に切り替わることで、患者(被写体)１４の放射線被曝量を抑制しつつ、術者１２及びその補助者に対し、各々が放射線動画像を視認する目的に応じた適切な画質の放射線動画像を撮影・表示することができる。そしてＩＶＲが終了し、放射線画像撮影システム１０による動画像の撮影終了が術者１２から指示されると、ステップ２４２の判定が肯定されて放射線動画像撮影・表示処理を終了する。
【００８７】
続いて、放射線動画像撮影・表示処理(図９)のステップ２１２で行われる目視位置検出処理について、図１３を参照して説明する。ステップ２５０では、ビデオカメラ１８０がディスプレイ１３６の表示面前方の空間(術者１２が位置している空間)を撮像することで得られた画像をビデオカメラ１８０から取得する。ステップ２５２では、ステップ２５０で取得した画像から術者１２の顔に相当する領域(顔領域)を抽出し、次のステップ２５４では、ステップ２５２で抽出した顔領域から術者１２の眼部に相当する眼部領域を抽出する。更にステップ２５６では、ステップ２５４で抽出した眼部領域から術者１２の眼部のうち瞳孔に相当する瞳孔領域を抽出し、眼部領域内における瞳孔領域の水平方向位置及び垂直方向位置に基づいて、水平方向の眼球回転角θＨ及び垂直方向の眼球回転角θＶを各々演算する。
【００８８】
ステップ２５８では、ステップ２５０で取得した画像に基づき、所定の画像処理を行うことで術者１２の顔の向きを演算する。術者１２の顔の向きは、例えば術者１２の顔領域内における術者１２の眼部対に相当する一対の領域の位置関係(水平方向への偏倚度合い)等の特徴量を用いることで演算することができる。またステップ２６０では、ステップ２５８で演算した顔の向きとステップ２５６で演算した眼球回転角θＨ,θＶに基づき、術者１２の視線の方向(術者１２がディスプレイ１３６の表示面を正面視している状態に対する視線の方向の角度差)を演算する。術者１２の視線の方向は、例えば術者１２の顔の向きの演算結果と眼球回転角θＨ,θＶを次の(１)式に代入し、ディスプレイ１３６の表示面を基準とする座標系における視線方向ベクトル(ｘ,ｙ,ｚ)を演算することで求めることができる。
【００８９】
【数１】
2011194218.tif 000003
但し、上記の(１)式において、(α,β,γ)は術者１２の顔の向きのロール角、ピッチ角、ヨー角である。
【００９０】
次のステップ２６２では、ステップ２６０で演算した術者１２の視線方向(視線方向ベクトル(ｘ,ｙ,ｚ)が表す方向)に基づいて、術者１２の視線方向に沿った仮想線がディスプレイ１３６の表示面と交差しているか否か、すなわち術者１２がディスプレイ１３６の表示面を目視しているか否かを判定する。この判定が否定された場合はステップ２６４へ移行し、「術者がディスプレイを目視していない」との判定結果を出力し、目視位置検出処理を終了する。
【００９１】
また、ステップ２６２の判定が肯定された場合はステップ２６６へ移行し、術者１２の視線方向に沿った仮想線とディスプレイ１３６の表示面との交差位置の座標を、術者１２によるディスプレイの表示面上の目視位置として演算する。そしてステップ２６８では、「術者がディスプレイを目視している」との判定結果と、ステップ２６６で演算した術者１２によるディスプレイの表示面上の目視位置の座標値を出力し、目視位置検出処理を終了する。上記処理により、術者１２がディスプレイ１３６の表示面を目視しているか否かの検出、及び、術者１２がディスプレイ１３６の表示面を目視している場合の、術者１２によるディスプレイ１３６の表示面上の目視位置の検出を実現することができる。
【００９２】
次に、電子カセッテ２０に内蔵された放射線検出器の他の構成について、図１４を参照して説明する。図１４に示す放射線検出器３００は、照射された放射線を光へ一旦変換した後に電荷へ変換する間接変換方式により放射線を検出する構成であり、放射線の到来方向に沿って光検出部(ＴＦＴアクティブマトリクス基板)３０６、シンチレータ３０２が順に配置されて構成されている。なお、放射線検出器３００は請求項１２に記載の放射線検出手段の一例であり、光検出部３０６は請求項１２に記載の光検出手段、シンチレータ３０２は請求項１２に記載の発光部の一例である。
【００９３】
放射線検出器３００のシンチレータ３０２は、患者(被写体)１４の体を透過して筐体３０の照射面３２に照射され、筐体３０の天板及び光検出器(ＴＦＴ基板)３０６を透過して照射された放射線Ｘを吸収して光を放出する。シンチレータ３０２の発光波長域は可視光域(波長３６０ｎｍ〜８３０ｎｍ)であることが好ましく、放射線検出器３００によってモノクロの放射線画像の撮影を可能とするためには、緑色の波長域を含んでいることがより好ましい。一般に、シンチレータに適用する蛍光体としては、例えばＣｓＩ(Ｔｌ)(タリウムを添加したヨウ化セシウム）や、ＣｓＩ(Ｎａ)(ナトリウム賦活ヨウ化セシウム)、ＧＯＳ(Ｇｄ２Ｏ２Ｓ：Ｔｂ)等の材料を用いることができるが、放射線としてＸ線を用いて撮影を行う場合はヨウ化セシウム(ＣｓＩ)を含むものが好ましく、Ｘ線照射時の発光スペクトルが４２０ｎｍ〜６００ｎｍにあるＣｓＩ(Ｔｌ)を用いることが特に好ましい。なお、ＣｓＩ(Ｔｌ)の可視光域における発光ピーク波長は５６５ｎｍである。
【００９４】
また、本実施形態では、例として図１５に示すように、シンチレータ３０２を、放射線入射／光射出側(光検出部３０６側)に柱状結晶３０２Ａから成る柱状結晶領域が形成され、シンチレータ３０２の放射線入射側と反対側に非柱状結晶３０２Ｂから成る非柱状結晶領域が形成された構成としており、シンチレータ３０２としてＣｓＩを含む材料を用い、当該材料を蒸着基板３０４に蒸着させることで、柱状結晶領域及び非柱状結晶領域が形成されたシンチレータ３０２を得ている。なお、蒸着基板３０４としては耐熱性の高い材料が望ましく、例えば低コストという観点からアルミニウムが好適である。なお、本実施形態に係るシンチレータ３０２は、柱状結晶３０２Ａの平均径が柱状結晶３０２Ａの長手方向に沿っておよそ均一とされている。このように、シンチレータ３０２は、より詳しくは請求項１３に記載の発光部の一例である。
【００９５】
上記のように、シンチレータ３０２を柱状結晶領域及び非柱状結晶領域が形成された構成にすると共に、高効率の発光が得られる柱状結晶３０２Ａから成る柱状結晶領域を光検出部３０６側に配置することで、シンチレータ３０２で発生された光は柱状結晶３０２Ａ内を進行して光検出部３０６へ射出され、光検出部３０６側へ射出される光の拡散が抑制されることで、電子カセッテ２０によって検出される放射線画像の鮮鋭度の低下が抑制される。また、シンチレータ３０２の深部(非柱状結晶領域)に到達した光も、非柱状結晶３０２Ｂによって光検出部３０６側へ反射されることで、光検出部３０６に入射される光の光量(シンチレータ３０２で発光された光の検出効率)が向上する。
【００９６】
なお、シンチレータ３０２の放射線入射側に位置する柱状結晶領域の厚みをｔ1とし、シンチレータ３０２の蒸着基板３０４側に位置する非柱状結晶領域の厚みをｔ2としたときに、ｔ1とｔ2が下記の関係式を満たすことが好ましい。
【００９７】
0.01≦(ｔ2／ｔ1)≦0.25
柱状結晶領域の厚みｔ1と非柱状結晶領域の厚みｔ2とが上記関係式を満たすことで、発光効率が高く光の拡散を防止する領域(柱状結晶領域)と、光を反射する領域(非柱状結晶領域)と、のシンチレータ３０２の厚み方向に沿った比率が好適な範囲となり、シンチレータ３０２の発光効率、シンチレータ３０２で発光された光の検出効率、及び、放射線画像の解像度が向上する。非柱状結晶領域の厚みｔ2が厚過ぎると発光効率の低い領域が増え、電子カセッテ２０の感度の低下に繋がることから、(ｔ2／ｔ1)は0.02以上かつ0.1以下の範囲であることがより好ましい。
【００９８】
なお、シンチレータ３０２は柱状結晶領域と非柱状結晶領域が連続的に形成された構成であるが、例えば上記の非柱状結晶領域に代えてアルミニウム等から成る光反射層が設けられ、柱状結晶領域のみが形成された構成であってもよいし、他の構成であってもよい。
【００９９】
また、放射線検出器３００の光検出部３０６は、シンチレータ３０２の光射出側から射出された光を検出するものであり、図１４に示すように、フォトダイオード(ＰＤ：PhotoDiode)等から成る光電変換部３０８、ＴＦＴ３１０及び蓄積容量３１２を備えた画素部３１４が、図７に示す放射線検出器３６のＴＦＴアクティブマトリクス基板９４と同様に、平板状で平面視における外形形状が矩形状とされた絶縁性基板３１６上にマトリクス状に複数形成されたＴＦＴアクティブマトリクス基板(以下、「ＴＦＴ基板」という)で構成されている。
【０１００】
なお、本実施形態では、シンチレータ３０２の放射線照射面側に光検出器(ＴＦＴ基板)３０６が配置されているが、発光部(シンチレータ３０２)と光検出手段(光検出部３０６)とをこのような位置関係で配置する方式は「表面読取方式(ISS：Irradiation Side Sampling)」と称する(請求項１２記載の発明に相当する構成)。シンチレータは放射線入射側がより強く発光するので、シンチレータの放射線入射側に光検出手段(光検出部３０６)を配置する表面読取方式(ISS)は、シンチレータの放射線入射側と反対側に光検出手段(光検出部３０６)を配置する「裏面読取方式(PSS：Penetration Side Sampling)」よりも光検出手段とシンチレータの発光位置とが接近することから、撮影によって得られる放射線画像の分解能が高く、また光検出手段(光検出部３０６)の受光量が増大することで、結果として放射線画像撮影装置(電子カセッテ)の感度が向上する。
【０１０１】
光電変換部３０８は、下部電極３０８Ａと上部電極３０８Ｂとの間に、シンチレータ３０２から放出された光を吸収し、吸収した光に応じた電荷を発生する光電変換膜３０８Ｃが配置されて構成されている。なお、下部電極３０８Ａは、シンチレータ３０２から放出された光を光電変換膜３０８Ｃに入射させる必要があるため、少なくともシンチレータ３０２の発光波長の光に対する光透過率の高い導電性材料で構成することが好ましく、具体的には、可視光に対する透過率が高く、抵抗値が小さい透明導電性酸化物（TCO;Transparent Conducting Oxide）を用いることが好ましい。なお、下部電極３０８ＡとしてＡｕなどの金属薄膜を用いることもできるが、９０％以上の光透過率を得ようとすると抵抗値が増大し易くなるため、ＴＣＯの方が好ましい。例えば、ＩＴＯ、ＩＺＯ、ＡＺＯ、ＦＴＯ、ＳｎＯ２、ＴｉＯ２、ＺｎＯ２等を用いることが好ましく、プロセス簡易性、低抵抗性、透明性の観点からＩＴＯが最も好ましい。なお、下部電極３０８Ａは、全画素部共通の一枚構成としてもよいし、画素部毎に分割してもよい。
【０１０２】
また、光電変換膜３０８Ｃはシンチレータ３０２から放出された光を吸収し、吸収した光に応じた電荷を発生する。光電変換膜３０８Ｃを構成する材料は光を吸収して電荷を発生する材料であればよく、例えば、アモルファスシリコンや有機光電変換材料等を用いることができる。光電変換膜３０８Ｃをアモルファスシリコンで構成した場合、シンチレータ３０２から放出された光を広い波長域に亘って吸収するように構成することができる。但し、アモルファスシリコンから成る光電変換膜３０８Ｃの形成には蒸着を行う必要があり、絶縁性基板３１６が合成樹脂製である場合、絶縁性基板３１６の耐熱性が不足する可能性がある。
【０１０３】
一方、光電変換膜３０８Ｃを有機光電変換材料を含む材料で構成した場合は、主に可視光域で高い吸収を示す吸収スペクトルが得られ、光電変換膜３０８Ｃによるシンチレータ３０２から放出された光以外の電磁波の吸収が殆ど無くなるので、Ｘ線やγ線等の放射線が光電変換膜３０８Ｃで吸収されることで発生するノイズを抑制できる。また、有機光電変換材料から成る光電変換膜３０８Ｃは、インクジェットヘッド等の液滴吐出ヘッドを用いて有機光電変換材料を被形成体上に付着させることで形成させることができ、被形成体に対して耐熱性は要求されない。このため、放射線検出器３００では光電変換部３０８の光電変換膜３０８Ｃを有機光電変換材料で構成している。
【０１０４】
光電変換膜３０８Ｃを有機光電変換材料で構成した場合、光電変換膜３０８Ｃで放射線が殆ど吸収されないので、放射線が透過するように光検出部３０６が配置される表面読取方式(ISS)において、光検出部３０６を透過することによる放射線の減衰を抑制することができ、放射線に対する感度の低下を抑えることができる。従って、光電変換膜３０８Ｃを有機光電変換材料で構成することは、特に表面読取方式(ISS)に好適である。
【０１０５】
光電変換膜３０８Ｃを構成する有機光電変換材料は、シンチレータ３０２から放出された光を最も効率良く吸収するために、その吸収ピーク波長が、シンチレータ３０２の発光ピーク波長と近いほど好ましい。有機光電変換材料の吸収ピーク波長とシンチレータ３０２の発光ピーク波長とが一致することが理想的であるが、双方の差が小さければシンチレータ３０２から放出された光を十分に吸収することが可能である。具体的には、有機光電変換材料の吸収ピーク波長と、シンチレータ３０２の放射線に対する発光ピーク波長との差が１０ｎｍ以内であることが好ましく、５ｎｍ以内であることがより好ましい。
【０１０６】
このような条件を満たすことが可能な有機光電変換材料としては、例えばキナクリドン系有機化合物及びフタロシアニン系有機化合物が挙げられる。例えばキナクリドンの可視域における吸収ピーク波長は５６０ｎｍであるため、有機光電変換材料としてキナクリドンを用い、シンチレータ３０２の材料としてＣｓＩ（Ｔｌ）を用いれば、上記ピーク波長の差を５ｎｍ以内にすることが可能となり、光電変換膜３０８Ｃで発生する電荷量をほぼ最大にすることができる。
【０１０７】
放射線画像撮影装置に適用可能な光電変換膜３０８Ｃについて具体的に説明する。放射線画像撮影装置における電磁波吸収／光電変換部位は、電極３０８Ａ,３０８Ｂと、該電極３０８Ａ,３０８Ｂに挟まれた光電変換膜３０８Ｃを含む有機層である。この有機層は、より具体的には、電磁波を吸収する部位、光電変換部位、電子輸送部位、正孔輸送部位、電子ブロッキング部位、正孔ブロッキング部位、結晶化防止部位、電極、及び、層間接触改良部位等を積み重ねるか、若しくは混合することで形成することができる。
【０１０８】
上記有機層は、有機ｐ型化合物または有機ｎ型化合物を含有することが好ましい。有機ｐ型半導体(化合物)は、主に正孔輸送性有機化合物に代表されるドナー性有機半導体(化合物)であり、電子を供与しやすい性質を有する有機化合物である。さらに詳しくは２つの有機材料を接触させて用いたときにイオン化ポテンシャルの小さい方の有機化合物である。従って、ドナー性有機化合物としては、電子供与性を有する有機化合物であれば何れの有機化合物も使用可能である。有機ｎ型半導体(化合物)は、主に電子輸送性有機化合物に代表されるアクセプター性有機半導体(化合物)であり、電子を受容し易い性質を有する有機化合物である。更に詳しくは２つの有機化合物を接触させて用いたときに電子親和力の大きい方の有機化合物である。従って、アクセプター性有機化合物は、電子受容性を有する有機化合物であれば何れの有機化合物も使用可能である。
【０１０９】
有機ｐ型半導体及び有機ｎ型半導体として適用可能な材料や、光電変換膜３０８Ｃの構成については、特開２００９−３２８５４号公報において詳細に説明されているため説明を省略する。なお、光電変換膜３０８Ｃは、更にフラーレン又はカーボンナノチューブを含有していてもよい。
【０１１０】
また、光電変換部３０８は、少なくとも電極対３０８Ａ,３０８Ｂと光電変換膜３０８Ｃを含んでいればよいが、暗電流の増加を抑制するため、電子ブロッキング膜及び正孔ブロッキング膜の少なくとも何れかを設けることが好ましく、両方を設けることがより好ましい。
【０１１１】
電子ブロッキング膜は、上部電極３０８Ｂと光電変換膜３０８Ｃとの間に設けることができ、上部電極３０８Ｂと下部電極３０８Ａとの間にバイアス電圧を印加したときに、上部電極３０８Ｂから光電変換膜３０８Ｃに電子が注入されて暗電流が増加してしまうことを抑制することができる。電子ブロッキング膜には電子供与性有機材料を用いることができる。実際に電子ブロッキング膜に用いる材料は、隣接する電極の材料及び隣接する光電変換膜３０８Ｃの材料等に応じて選択すればよく、隣接する電極の材料の仕事関数(Ｗｆ)より1.3ｅＶ以上電子親和力(Ｅａ)が大きく、かつ、隣接する光電変換膜３０８Ｃの材料のイオン化ポテンシャル(Ｉｐ)と同等のＩｐ、若しくはそれより小さいＩｐを有するものが好ましい。この電子供与性有機材料として適用可能な材料については、特開２００９−３２８５４号公報において詳細に説明されているため説明を省略する。
【０１１２】
電子ブロッキング膜の厚みは、暗電流抑制効果を確実に発揮させると共に、光電変換部３０８の光電変換効率の低下を防ぐため、10ｎｍ以上200ｎｍ以下が好ましく、より好ましくは30ｎｍ以上150ｎｍ以下、特に好ましくは50ｎｍ以上100ｎｍ以下である。
【０１１３】
正孔ブロッキング膜は、光電変換膜３０８Ｃと下部電極３０８Ａとの間に設けることができ、上部電極３０８Ｂと下部電極３０８Ａとの間にバイアス電圧を印加したときに、下部電極３０８Ａから光電変換膜３０８Ｃに正孔が注入されて暗電流が増加してしまうことを抑制することができる。正孔ブロッキング膜には電子受容性有機材料を用いることができる。実際に正孔ブロッキング膜に用いる材料は、隣接する電極の材料及び隣接する光電変換膜３０８Ｃの材料等に応じて選択すればよく、隣接する電極の材料の仕事関数(Ｗｆ)より1.3ｅＶ以上イオン化ポテンシャル(Ｉｐ)が大きく、かつ、隣接する光電変換膜３０８Ｃの材料の電子親和力(Ｅａ)と同等のＥａ、若しくはそれより大きいＥａを有するものが好ましい。この電子受容性有機材料として適用可能な材料については、特開２００９−３２８５４号公報において詳細に説明されているため説明を省略する。
【０１１４】
正孔ブロッキング膜の厚みは、暗電流抑制効果を確実に発揮させると共に、光電変換部３０８の光電変換効率の低下を防ぐため、10ｎｍ以上200ｎｍ以下が好ましく、より好ましくは30ｎｍ以上150ｎｍ以下、特に好ましくは50ｎｍ以上100ｎｍ以下である。
【０１１５】
なお、光電変換膜３０８Ｃで発生した電荷のうち、正孔が下部電極３０８Ａに移動し、電子が上部電極３０８Ｂに移動するようにバイアス電圧を設定する場合には、電子ブロッキング膜と正孔ブロッキング膜の位置を逆にすれば良い。また、電子ブロッキング膜と正孔ブロッキング膜は両方設けることは必須ではなく、何れかを設けておけば、或る程度の暗電流抑制効果を得ることができる。
【０１１６】
ＴＦＴ３１０は、ゲート電極、ゲート絶縁膜及び活性層(チャネル層)が積層され、更に活性層上にソース電極とドレイン電極が所定の間隔を隔てて形成されている。活性層は、例えばアモルファスシリコンや非晶質酸化物、有機半導体材料、カーボンナノチューブ等のうちの何れかにより形成することができるが、活性層を形成可能な材料はこれらに限定されるものではない。
【０１１７】
活性層を形成可能な非晶質酸化物としては、例えば、Ｉｎ、Ｇａ及びＺｎのうちの少なくとも１つを含む酸化物(例えばＩｎ−Ｏ系)が好ましく、Ｉｎ、Ｇａ及びＺｎのうちの少なくとも２つを含む酸化物(例えばＩｎ−Ｚｎ−Ｏ系、Ｉｎ−Ｇａ−Ｏ系、Ｇａ−Ｚｎ−Ｏ系)がより好ましく、Ｉｎ、Ｇａ及びＺｎを含む酸化物が特に好ましい。Ｉｎ−Ｇａ−Ｚｎ−Ｏ系非晶質酸化物としては、結晶状態における組成がＩｎＧａＯ３(ＺｎＯ)ｍ(ｍは６未満の自然数)で表される非晶質酸化物が好ましく、特に、ＩｎＧａＺｎＯ４がより好ましい。なお、活性層を形成可能な非晶質酸化物はこれらに限定されるものではない。
【０１１８】
また、活性層を形成可能な有機半導体材料としては、例えば、フタロシアニン化合物や、ペンタセン、バナジルフタロシアニン等が挙げられるが、これらに限定されるものではない。なお、フタロシアニン化合物の構成については、特開２００９−２１２３８９号公報で詳細に説明されているため、説明を省略する。
【０１１９】
ＴＦＴ３１０の活性層を非晶質酸化物や有機半導体材料、カーボンナノチューブ等のうちの何れかによって形成すれば、Ｘ線等の放射線を吸収せず、或いは吸収したとしても極めて微量に留まるため、画像信号へのノイズの重畳を効果的に抑制することができる。
【０１２０】
また、活性層をカーボンナノチューブで形成した場合、ＴＦＴ３１０のスイッチング速度を高速化することができ、また、ＴＦＴ３１０における可視光域の光の吸収度合いを低下させることができる。なお、活性層をカーボンナノチューブで形成する場合、活性層にごく微量の金属性不純物が混入しただけでＴＦＴ３１０の性能が著しく低下するため、遠心分離等により非常に純度の高いカーボンナノチューブを分離・抽出して活性層の形成に用いる必要がある。
【０１２１】
なお、有機光電変換材料で形成した膜及び有機半導体材料で形成した膜は何れも十分な可撓性を有しているので、有機光電変換材料で形成した光電変換膜３０８Ｃと、活性層を有機半導体材料で形成したＴＦＴ３１０と、を組み合わせた構成であれば、患者(被写体)１４の体の重みが荷重として加わることのある光検出部３０６の高剛性化は必ずしも必要ではなくなる。このため、放射線検出器３００ではＴＦＴ３１０の活性層を有機半導体材料で形成している。
【０１２２】
また、絶縁性基板３１６は光透過性を有し且つ放射線の吸収が少ないものであればよい。ここで、ＴＦＴ３１０の活性層を構成する非晶質酸化物や、光電変換部３０８の光電変換膜３０８Ｃを構成する有機光電変換材料は、いずれも低温での成膜が可能である。従って、絶縁性基板３１６としては、半導体基板、石英基板、及びガラス基板等の耐熱性の高い基板に限定されず、合成樹脂製の可撓性基板、アラミド、バイオナノファイバを用いることもできる。具体的には、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の可撓性基板を用いることができる。このような合成樹脂製の可撓性基板を用いれば、軽量化を図ることもでき、例えば持ち運び等に有利となる。なお、絶縁性基板３１６には、絶縁性を確保するための絶縁層、水分や酸素の透過を防止するためのガスバリア層、平坦性あるいは電極等との密着性を向上するためのアンダーコート層等を設けてもよい。
【０１２３】
なお、アラミドは２００度以上の高温プロセスを適用できるため、透明電極材料を高温硬化させて低抵抗化でき、また、ハンダのリフロー工程を含むドライバＩＣの自動実装にも対応できる。また、アラミドはＩＴＯ（indium tin oxide）やガラス基板と熱膨張係数が近いため、製造後の反りが少なく、割れにくい。また、アラミドは、ガラス基板等と比べて基板を薄型化できる。なお、超薄型ガラス基板とアラミドを積層して絶縁性基板３１６を形成してもよい。
【０１２４】
また、バイオナノファイバは、バクテリア(酢酸菌、Acetobacter Xylinum)が産出するセルロースミクロフィブリル束（バクテリアセルロース）と透明樹脂とを複合したものである。セルロースミクロフィブリル束は、幅５０ｎｍと可視光波長に対して１／１０のサイズで、かつ、高強度、高弾性、低熱膨である。バクテリアセルロースにアクリル樹脂、エポキシ樹脂等の透明樹脂を含浸・硬化させることで、繊維を６０〜７０％も含有しながら、波長５００ｎｍで約９０％の光透過率を示すバイオナノファイバが得られる。バイオナノファイバは、シリコン結晶に匹敵する低い熱膨張係数（３−７ｐｐｍ）を有し、鋼鉄並の強度(４６０ＭＰa)、高弾性(３０ＧＰａ)で、かつフレキシブルであることから、ガラス基板等と比べて絶縁性基板３１６を薄型化できる。
【０１２５】
絶縁性基板３１６としてガラス基板を用いた場合、光検出器(ＴＦＴ基板)３０６全体としての厚みは、例えば0.7mm程度になるが、放射線検出器３００では、電子カセッテ２０の薄型化も考慮し、絶縁性基板３１６として、光透過性を有する合成樹脂から成る薄型の基板を用いている。これにより、光検出器(ＴＦＴ基板)３０６全体としての厚みを、例えば0.1mm程度に薄型化できると共に、光検出器(ＴＦＴ基板)３０６に可撓性をもたせることができる。また、光検出器(ＴＦＴ基板)３０６に可撓性をもたせることで、放射線検出部３００の耐衝撃性が向上し、電子カセッテ２０の筐体３０に衝撃が加わった場合にも放射線検出部３００が破損し難くなる。また、プラスチック樹脂や、アラミド、バイオナノファイバ等は何れも放射線の吸収が少なく、絶縁性基板３１６をこれらの材料で形成した場合、絶縁性基板３１６による放射線の吸収量も少なくなるため、表面読取方式(ISS)により光検出部３０６を放射線が透過する構成であっても、放射線に対する感度の低下を抑えることができる。
【０１２６】
なお、電子カセッテ２０の絶縁性基板３１６として合成樹脂製の基板を用いることは必須ではなく、電子カセッテ２０の厚さは増大するものの、ガラス基板等の他の材料から成る基板を絶縁性基板３１６として用いるようにしてもよい。
【０１２７】
前述のように、放射線検出器３００は、放射線の到来方向に沿って光検出部３０６、シンチレータ３０２が順に配置された表面読取方式(ISS)とし、かつ、シンチレータ３０２を、ＣｓＩを含む材料から成り光検出部３０６側に柱状結晶領域が形成された構成とすることで、シンチレータ３０２から光検出部３０６に入射される光の光量の増大及び拡散の抑制を実現しており、更に、光検出部３０６の光電変換膜３０８Ｃを有機光電変換材料で構成し、ＴＦＴ３１０の活性層を有機半導体材料で形成し、絶縁性基板３１６として合成樹脂製の基板を用いることで、光検出部３０６を透過してシンチレータ３０２に照射される放射線の光検出部３０６における吸収を抑制しているので、放射線検出感度の向上及び撮影する放射線画像の高画質化を実現できる。
【０１２８】
そして、上記構成の放射線検出器３００を内蔵した電子カセッテ２０はＩＶＲを実施する際の放射線動画像の撮影に特に好適である。すなわち、放射線動画像の撮影は、患者(被写体)１４の放射線累積被曝量の抑制が課題であり、ＩＶＲを実施する際に常に高画質の放射線動画像を撮影することは必須ではない。これに対し、上記構成の放射線検出器３００は放射線検出感度が高く、かつ高画質な放射線画像を撮影できるので、画質に対する要求レベルが低い期間(例えば術者１２が動画像を目視している期間)の放射線の照射線量を低下させたとしても、撮影される放射線画像の画質が問題となるレベル迄低下することはなく、画質に対する要求レベルが低い期間の放射線の照射線量を低下させることで、患者(被写体)１４の放射線累積被曝量を大幅に抑制することが可能となる。
【０１２９】
なお、ＣｓＩは、例えば温度変化１℃当り約0.3％程度の変化率で感度が変化するという特性を有している(図１６(Ａ)も参照)。このため、電子カセッテ２０に内蔵する放射線検出器として、上記の放射線検出器３００のようにＣｓＩから成るシンチレータを含む構成の放射線検出器を用いた場合、温度上昇に伴って放射線検出感度の低下が生ずる。特に放射線動画像を撮影する際は温度変化が大きいために放射線検出感度の変化も大きくなり、これに伴い、撮影期間内の初期に撮影された画像と撮影期間内の終期に撮影された画像との濃度差が大きくなることで、放射線動画像の視認性が悪化する等の不都合が生ずる可能性もある。
【０１３０】
これに対し、先に説明した放射線動画像撮影・表示処理(図９)では、術者１２がディスプレイ１３６を目視しているか否かの判定結果、及び、術者１２によってディスプレイ１３６(に表示された放射線動画像)が目視されている度合い(目視度合いＳ)に基づき、表示更新の時間遅れが小さい放射線動画像を表示する必要がない場合に照射周期Ｔを長くしており(術者１２がディスプレイ１３６を目視していない場合は照射周期Ｔを長くし、術者１２がディスプレイ１３６を目視している場合も目視度合いＳが低くなるに従って照射周期Ｔを長くしている)、照射周期Ｔが長い場合には電子カセッテ２０に内蔵された電子回路からの発熱量が小さくなるので、シンチレータを構成するＣｓＩの温度上昇を抑制することができ、ＣｓＩの温度上昇に伴って放射線検出感度が低下することを抑制することができる。
【０１３１】
また、ＣｓＩは、放射線累積被曝量の増大に伴って感度が徐々に低下するという特性も有している(図１６(Ｂ)も参照)。なお、放射線累積被曝量の増大に伴う感度の低下は一時的な現象であり、放射線を照射しない状態を数時間程度継続すれば回復するものの、電子カセッテ２０に内蔵する放射線検出器として、上記の放射線検出器３００のようにＣｓＩから成るシンチレータを含む構成の放射線検出器を用いた場合、ＣｓＩの感度が大幅に低下した状態になってしまうと、放射線画像の撮影に支障が生ずる可能性もある。
【０１３２】
これに対し、先に説明した放射線動画像撮影・表示処理(図９)では、術者１２がディスプレイ１３６を目視しているか否かの判定結果、及び、術者１２によってディスプレイ１３６(に表示された放射線動画像)が目視されている度合い(目視度合いＳ)に基づき、術者１２がディスプレイ１３６を目視していない場合は照射周期Ｔを長くし、術者１２がディスプレイ１３６を目視している場合は、照射線量Ｗが低くすると共に目視度合いＳが低くなるに従って照射周期Ｔを長くしているので、放射線検出器の放射線累積被曝量の増大を抑制することができ、電子カセッテ２０の使用可能時間を長時間化することができる。
【０１３３】
また、放射線検出器の更に別の構成を図１７に示す。図１４に示した放射線検出器３００は、シンチレータ３０２から射出された光を単一の光検出部３０６で検出する構成であるが、図１７に示す放射線検出器３１８は、光検出部３０６に加えて、シンチレータ３０２から射出された光を検出する光検出部３２０が、光検出部３０６を挟んでシンチレータ３０２の反対側に設けられている。光検出部３２０は、配線がパターニングされた配線層３２２、絶縁層３２４が順に形成され、その上層に、シンチレータ３０２から射出され光検出部３０６を透過した光を検出するセンサ部３２６が複数形成され、更に当該センサ部３２６の上層に保護層３２８が形成されて構成されている。なお、光検出部３２０の厚みは例えば0.05mm程度である。
【０１３４】
センサ部３２６は、上部電極３３０Ａ及び下部電極３３０Ｂを備え、上部電極３３０Ａと下部電極３３０Ｂとの間に、シンチレータ３０２からの光を吸収して電荷を発生する光電変換膜３３０Ｃが配置されて構成されている。センサ部３２６(光電変換膜３３０Ｃ)としては、アモルファスシリコンを用いたＰＩＮ型、ＭＩＳ型フォトダイオードを適用することも可能であるが、放射線検出器３１８では、光電変換部３０８の光電変換膜３０８Ｃと同様に、光電変換膜３３０Ｃを有機光電変換材料で構成している。これにより、インクジェットヘッド等の液滴吐出ヘッドを用いて有機光電変換材料を被形成体上に付着させることで光電変換膜３３０Ｃを形成させることが可能となり、絶縁性基板３１６として、光透過性を有する合成樹脂製で薄型の基板を用いることが可能となる。
【０１３５】
センサ部３２６による放射線量の検出結果は、電極３３０Ａ,３３０Ｂと接続された図示しない信号処理部を介して読み出され、例えば電子カセッテ２０への放射線の照射開始／終了タイミングの検知や、電子カセッテ２０への放射線照射量の積算値の検知等に用いられる。なお、放射線画像の検出(撮影)は光検出部３０６によって行われるので、光検出部３２０のセンサ部３２６は、光検出部３０６の画素部３１４よりも配置ピッチが大きく(配置密度が低く)されており、単一のセンサ部３２６の受光領域は、光検出部３０６の画素部３１４の数個〜数百個分のサイズでよい。
【０１３６】
なお、上記では動画像目視時に、術者１２によるディスプレイ１３６の目視度合いＳに応じて、放射線照射周期Ｔ及び放射線照射線量Ｗを連続的に変化させる(図１１参照)態様を説明したが、本発明はこれに限定されるものではなく、目視度合いＳが高くなるに従って放射線照射周期Ｔが短くなるように、目視度合いＳの値に応じて、２段階以上の放射線照射周期Ｔの値のうちの何れかの値へ切り替えるようにしてもよい。また、目視度合いＳが高くなるに従って放射線照射線量Ｗが高くなるように、目視度合いＳの値に応じて、２段階以上の放射線照射線量Ｗの値のうちの何れかの値へ切り替えるようにしてもよい。
【０１３７】
また、上記では目視位置検出処理の判定結果が「術者がディスプレイを目視している」から「術者がディスプレイを目視していない」へ(又はその逆へ)切り替わると直ちに放射線の曝射条件を切り替える態様を説明したが、本発明はこれに限定されるものではなく、例えば動画像目視時の曝射条件で放射線の照射、放射線動画像の撮影・表示を行っている状態で、目視位置検出処理の判定結果が「術者がディスプレイを目視していない」となったことがＮ周期(Ｎ≧２)以上連続した場合に動画像非目視時の曝射条件へ切り替える等、曝射条件の切り替えにヒステリシス性をもたせるようにしてもよい。
【０１３８】
また、上記では動画像目視時に、患者(被写体)１４上の放射線の照射範囲を、術者１２によるディスプレイ１３６上の目視位置に対応する位置を含む範囲に絞ると共に、絞った放射線の照射範囲に対応する小サイズの放射線画像をディスプレイ１３６の表示面の全面に拡大表示させる態様を説明したが、本発明はこれに限定されるものではなく、小サイズの放射線画像を、直前の動画像非目視時に撮影された過去の放射線画像のうちの対応する位置に貼り付けた合成画像を生成し、生成した合成画像をディスプレイ１３６に放射線動画像として表示させるようにしてもよい。この態様は請求項７の発明に対応している。また、動画像目視時の放射線の照射範囲を動画像非目視時と同じとしてもよい。本発明はこのような態様も権利範囲に含むものである。
【０１３９】
また、上記では「術者によって表示手段が目視されていることが検出されている場合に、照射手段による放射線の断続照射の時間間隔を、術者によって表示手段が目視されていることが検出されていない場合よりも短く」する制御の一例として、照射手段による放射線の断続照射の時間周期を短くする第１制御を行う態様を説明したが、本発明はこれに限定されるものではなく、術者によって表示手段が目視されていることが検出されている場合に、照射手段による放射線の断続照射の１周期のうち照射手段が放射線を照射している時間を長くする第２制御を行うようにしてもよいし、第１制御と第２制御を組み合わせた制御(放射線の断続照射の時間周期を短くし、かつ放射線を照射している時間を長くする制御)を行うようにしてもよい。
【０１４０】
例として図１８(Ｃ)には、上記の第２制御に相当する曝射条件の一例として、動画像非目視時の曝射条件に対し、放射線照射周期Ｔは変化させず(Ｔ＝Ｔ1)に、放射線照射時間ｔをより長く(ｔ＞ｔ1)し、照射線量Ｗをより低く(Ｗ＜Ｗ1,2)した曝射条件を示す。図１８(Ｃ)に示す曝射条件は、図１８(Ａ)に示す動画像非目視時の曝射条件と比較して、放射線照射の１周期のうちの放射線照射時間ｔ、すなわち被写体が放射線画像として画像化される期間が長いので、放射線照射の各周期に撮影される画像は、放射線照射期間中の患者(被写体)１４やガイドワイヤ等の被写体の位置等の変化が画像上に残像として加わった画像(ブレ画像ともいう)になる。これにより、ディスプレイ１３６に表示される放射線動画像が、フレーム間での被写体の動きの繋がりを明瞭に示す動画像となるので、ディスプレイ１３６に表示された放射線動画像を視認した術者が、術者自身が行った操作によりガイドワイヤの先端部が目的の血管に挿入されたか否か等を容易に確認することができる。
【０１４１】
なお、図１８(Ｃ)に示す曝射条件は放射線照射時間ｔが最長の曝射条件(放射線画像読出期間以外の全期間で放射線の照射を行う曝射条件)であるが、実際の制御においては、例えば目視度合いＳが高くなるに従って放射線照射時間ｔが長くなるように、目視度合いＳに応じて曝射条件を適宜変更することが望ましい。また、第２制御は第１制御よりも放射線照射の１周期当りの放射線照射時間ｔが長いので、患者(被写体)１４の放射線被曝量の抑制も考慮して第１制御よりも照射線量Ｗを低下させることが望ましく、例えば照射線量Ｗは、患者(被写体)１４を透過して放射線検出器に照射される放射線量が、画像形成に必要な最小線量になるか、或いは当該最小線量を若干上回る程度になる必要最小限の線量に設定することが望ましい。
【０１４２】
また、上述した第２制御は、図１８(Ｂ)に示す第１制御と比較して、放射線検出器の光電変換素子の暗電流(例えばアモルファス・シリコンの不純物準位に一旦トラップされた電荷が再放出される等によって生ずる電流)の影響で放射線画像の画質が変動することを抑制できるという利点も有する。すなわち、例として図１９(Ａ)に示すように、放射線検出器の暗電流は温度に応じて変化すると共に、温度が高くなるに従って温度変化に対する暗電流の変化の傾きも大きくなるが、動画像の撮影では温度が上昇し易く、温度変化に伴い暗電流の影響で放射線動画像の画質が大きく変動する状態になり易い。また、温度が比較的高い場合、例として図１９(Ａ)に示すように、放射線検出器の暗電流は蓄積時間(＝放射線照射時間ｔ)に応じて変化するという特性も示すが、蓄積時間の変化に対する暗電流の変化の傾きは蓄積時間が比較的短い範囲で大きく、蓄積時間が或る程度以上長くなると蓄積時間の変化に対する暗電流の変化の傾きも小さくなる。
【０１４３】
このため、目視度合いＳに応じて放射線照射周期Ｔを変化させ、放射線照射周期Ｔに応じて放射線照射時間ｔを変化させる第１制御は、放射線照射時間ｔ(＝蓄積時間)が比較的短いために、目視度合いＳに応じて放射線照射時間ｔが変化することに伴って暗電流が大きく変化すると共に、暗電流の変化が放射線照射の各周期で撮影された放射線画像の画質のばらつきとして明瞭に現れ易く、放射線動画像の画質が大きく変動することになる。
【０１４４】
一方、先に説明した第２制御も目視度合いＳに応じて放射線照射時間ｔを変化させるものの、放射線照射時間ｔ(＝蓄積時間)が比較的長いために、目視度合いＳに応じて放射線照射時間ｔを変化させることに伴う暗電流の変化は比較的小さく、また暗電流が変化したとしても、暗電流の変化が放射線照射の各周期の放射線照射期間内で均されることで、暗電流の変化が放射線照射の各周期で撮影された放射線画像の画質のばらつきとして現れ難く、暗電流の影響で放射線動画像の画質が変動することが抑制される。このように、放射線照射時間ｔ(＝蓄積時間)を長くすることで、放射線照射の各周期で撮影される放射線画像に重畳される暗電流に相当する成分の大きさは増加するものの、暗電流に相当する成分の大きさの変化が抑制されることで、放射線動画像の画質が暗電流の影響で変動することを抑制することができる。
【０１４５】
更に、上記ではコンソール２４のディスプレイ１３６に動画像を表示させる態様を説明したが、本発明はこれに限定されるものではなく、電子カセッテ２０にディスプレイを設け、コンソール２４のディスプレイ１３６に代えて電子カセッテ２０にディスプレイに動画像を表示させるようにしてもよい。
【０１４６】
また、放射線照射装置１８及び電子カセッテ２０を患者(被写体)１４と相対的に移動させる手段として、電子カセッテ２０を移動させる第１移動装置５０及び放射線照射装置１８を移動させる第２移動装置７８を例に説明したが、これに代えて、ベッド１６の一部(例えば載置台１６Ａのみ)又は全体を移動させることで、患者(被写体)１４を移動させる構成を用いてもよい。また、第１移動装置５０及び第２移動装置７８は、放射線照射装置１８及び電子カセッテ２０と患者(被写体)１４とを載置台１６Ａの長手方向にのみ相対的に移動させる(１軸移動を行う)構成であるが、これに限られるものではなく、放射線照射装置１８及び電子カセッテ２０と患者(被写体)１４とを載置台１６Ａの幅方向にも相対移動可能な(２軸移動を行う)構成であってもよい。
【０１４７】
また、上記ではＩＶＲを実施する際の放射線動画像の撮影に本発明を適用した態様を説明したが、本発明はこれに限定されるものではなく、医療現場におけるＩＶＲの実施以外の場面での放射線動画像の撮影に適用可能である。
【０１４８】
更に、上記では請求項４〜７に記載の被写体として人間(患者１４)を例に説明したが、これに限定されるものではなく、上記の被写体は、人間以外の生物であってもよく、任意の被写体の放射線動画像の撮影に適用可能である。
【符号の説明】
【０１４９】
１０  放射線画像撮影システム
１８  放射線照射装置
２０  電子カセッテ
２４  コンソール
１３６  ディスプレイ
【図１】
2011194218.tif 000004
【図２】
2011194218.tif 000005
【図３】
2011194218.tif 000006
【図４】
2011194218.tif 000007
【図５】
2011194218.tif 000008
【図６】
2011194218.tif 000009
【図７】
2011194218.tif 000010
【図８】
2011194218.tif 000011
【図９】
2011194218.tif 000012
【図１０】
2011194218.tif 000013
【図１１】
2011194218.tif 000014
【図１３】
2011194218.tif 000015
【図１４】
2011194218.tif 000016
【図１５】
2011194218.tif 000017
【図１６】
2011194218.tif 000018
【図１７】
2011194218.tif 000019
【図１８】
2011194218.tif 000020
【図１９】
2011194218.tif 000021
【図１２】
2011194218.tif 000022